(57)【要約】【課題】磁力線の作用によって筋肉組織の血行を改善し、筋肉組織の緊張を解いてこりをほぐす他、使用者の肌を温めることができ、手足のむくみを解消することができるとともに、新陳代謝を促進することができるシート状健康増進具を提供する。【解決手段】シート状健康増進具１０Ａは、粘着面１５が使用者の肌面に貼付される粘着シート１１と、肌非当接面２７が粘着シート１１に貼付される包装材１２ａと、包装材１２ａに収容された収容成分と、包装材１２ａの肌当接面２８に固着された異方性永久磁石１４とから形成されている。収容成分は、肌面から発散された汗を吸収して液状に変わるデキストリン粉末と、使用者の体温によって温められて肌面に遠赤外線を放射する遠赤外線放射粉末と、木酢パウダーや竹酢パウダー、どくだみパウダー、ビワパウダー、韃靼蕎麦パウダー、キトサン、ビタミンＣとを含んでいる。【選択図】図７
2016119944.tif 000002
【特許請求の範囲】
【請求項１】
使用者の肌面に着脱可能に貼付するシート状健康増進具において、
前記シート状健康増進具が、粘着面および非粘着面を有して前記粘着面が前記使用者の肌面に貼付される所定面積の粘着シートと、肌非当接面および肌当接面を有して前記肌非当接面が前記粘着シートの粘着面に貼付される包装材と、前記包装材の内部に収容された収容成分と、前記包装材の肌当接面に固着された少なくとも１つの磁気発生材とから形成され、前記包装材の肌非当接面が、所定面積の不通気不透液性シートから作られ、前記包装材の肌当接面が、所定面積の通気透液性繊維不織布から作られ、前記収容成分が、前記肌面から発散されて前記通気透液性繊維不織布を透過した汗を吸収して液状に変わるデキストリン粉末を含むことを特徴とするシート状健康増進具。
【請求項２】
前記収容成分が、堆積鉱物を微粉砕した鉱物粉体を加熱処理することから作られ、前記使用者の体温によって温められて前記肌面に遠赤外線を放射する遠赤外線放射粉末を含む請求項１に記載のシート状健康増進具。
【請求項３】
前記磁気発生材が、Ｎ極とＳ極とが交互に並び、前記使用者の肌面に磁力線を発する所定面積の異方性永久磁石であり、前記異方性永久磁石が、前記包装材の肌当接面の中央に固着されている請求項１または請求項２に記載のシート状健康増進具。
【請求項４】
前記磁気発生材が、前記使用者の肌面に磁力線を発する粒状の複数個の永久磁石であり、それら永久磁石が、前記包装材の肌当接面に一方向へ所定寸法離間して並ぶとともに、前記一方向と交差する方向へ所定寸法離間して並んでいる請求項１または請求項２に記載のシート状健康増進具。
【請求項５】
前記磁気発生材が、前記堆積鉱物を微粉砕した鉱物粉体にバインダーを加えて造粒成形した後に焼結して作られ、前記使用者の体温によって温められて前記肌面に遠赤外線を放射する多孔質の遠赤外線放射材と、前記遠赤外線放射材の中央に固定され、前記肌面に磁力線を発する永久磁石とから形成され、前記遠赤外線放射材が、前記包装材の肌当接面に固着された固着面と、前記使用者の肌面に当接する略扁平の当接面とを有し、前記永久磁石が、前記遠赤外線放射材の当接面から固着面に向かって該遠赤外線放射材の内部に埋め込まれた固定部と、前記遠赤外線放射材の当接面から露出する略扁平の露出部とを有する請求項１または請求項２に記載のシート状健康増進具。
【請求項６】
前記包装材の内部には、磁石粉末と複数個の粒状磁石とのうちの少なくとも一方が収容されている請求項１ないし請求項５いずれかに記載のシート状健康増進具。
【請求項７】
使用者の肌面に着脱可能に貼付するシート状健康増進具において、
前記シート状健康増進具が、粘着面および非粘着面を有して前記粘着面が前記使用者の肌面に貼付される所定面積の粘着シートと、肌非当接面および肌当接面を有して前記肌非当接面が前記粘着シートの粘着面に貼付される包装材と、前記包装材の内部に収容された収容成分とから形成され、前記包装材の肌非当接面が、所定面積の不通気不透液性シートから作られ、前記包装材の肌当接面が、所定面積の通気透液性繊維不織布から作られ、前記収容成分が、前記肌面から発散されて前記繊維不織布を透過した汗を吸収して液状に変わるデキストリン粉末と、複数個の粒状磁石と磁石粉末とのうちの少なくとも一方とを含むことを特徴とするシート状健康増進具。
【請求項８】
前記収容成分が、堆積鉱物を微粉砕した鉱物粉体を加熱処理することから作られ、前記使用者の体温によって温められて前記肌面に遠赤外線を放射する遠赤外線放射粉末を含む請求項７に記載のシート状健康増進具。
【請求項９】
前記収容成分が、木酢パウダーと竹酢パウダーとどくだみパウダーとビワパウダーと韃靼蕎麦パウダーとキトサンとビタミンＣとのうちの少なくとも１つを含む請求項１ないし請求項８ずれかに記載のシート状健康増進具。
【請求項１０】
前記収容成分が、抗菌・殺菌作用を有する植物粉末と発汗作用を有する植物粉末との少なくとも一方を含む請求項１ないし請求項９いずれかに記載のシート状健康増進具。
【請求項１１】
前記収容成分の全重量を１００重量％としたときの前記デキストリン粉末の重量割合が、７０〜８０重量％の範囲にあり、前記シート状健康増進具では、前記使用者の肌面から発散された汗を吸収した前記デキストリン粉末が液状のデキストリンに変わったときに、前記液状のデキストリンに溶け込んだ該液状のデキストリンを除く他の収容成分が該液状のデキストリンとともに前記通気透液性繊維不織布を透過して前記肌面に付着する請求項１ないし請求項１０いずれかに記載のシート状健康増進具。
【請求項１２】
前記粘着シートが、前記粘着面を被覆保護する剥離シートを含み、前記粘着シートの面積が、前記包装材のそれよりも大きく、前記シート状健康増進具では、前記粘着シートの粘着面から前記剥離シートを剥離して該粘着面を露出させ、前記粘着面に前記包装材の肌非当接面を貼付した後、前記包装材の外周縁から径方向外方に延出する前記粘着シートの粘着面を前記使用者の肌面に貼付する請求項１ないし請求項１１いずれかに記載のシート状健康増進具。
【請求項１３】
前記シート状健康増進具では、前記粘着シートの面積が前記包装材のそれよりも大きく、前記粘着シートの粘着面に前記包装材の肌非当接面が固着されて該粘着シートと該包装材とが一体になり、前記包装材の肌当接面と該包装材の外周縁から径方向外方に延出する前記粘着シートの粘着面とが剥離シートに被覆保護され、前記粘着シートの粘着面と前記包装材の肌当接面とから前記剥離シートを剥離して該粘着面と該肌当接面とを露出させ、前記包装材の外周縁から径方向外方に延出する前記粘着シートの粘着面を前記使用者の肌面に貼付する請求項１ないし請求項１１いずれかに記載のシート状健康増進具。
【請求項１４】
前記包装材では、前記不通気不透液性シートの外周縁部と前記通気透液性繊維不織布の外周縁部とが重なり、それらの外周縁部が所定の幅で水密に固着され、前記外周縁部の内側に前記収容成分を収容する収容部が形成されている請求項１ないし請求項１３いずれかに記載のシート状健康増進具。
【請求項１５】
前記シート状健康増進具が、前記使用者の足裏の肌面に着脱可能に貼付される請求項１ないし請求項１４いずれかに記載のシート状健康増進具。
【発明の詳細な説明】
【技術分野】
【０００１】
本発明は、使用者の肌面に着脱可能に貼付するシート状健康増進具に関する。
【背景技術】
【０００２】
通気性を有する透明の薄い基層と、基層の下面に配置されて肌への刺激が少ない材料から作られた下部粘着剤層と、下部粘着剤層の上に配置された粒状磁石体と、下部剥離シートと、基層の上面に上部粘着剤層を介して配置され、偏心して位置付けられた切断曲線を隔てて互いに離間した２枚の上部剥離紙とから形成された磁気治療器が開示されている（特許文献１参照）。この磁気治療器は、上部剥離紙に切れ目が設けられているから、粒状磁石体による押し上げ作用により身体のうちの背中や耳の後側等の目で確かめることができない部位にも容易に貼付することができる。
【先行技術文献】
【特許文献】
【０００３】
【特許文献１】特開２００９−２５４９０５号公報
【発明の概要】
【発明が解決しようとする課題】
【０００４】
前記特許文献１に開示の磁気治療器は、下部粘着層を介して基層を使用者の肌面に貼付することで、粒状磁石体の端面が使用者の肌面に当接する。この磁気治療器は、それを形成する粒状磁石体から使用者の肌面に磁力線が発せられ、その磁力線の作用によって筋肉組織の血行を改善し、筋肉組織の緊張を解いてこりをほぐす。しかし、この磁気治療器は、それが使用者の肌面に遠赤外線を放射することはなく、使用者の肌に対して温熱効果を発揮することはなく、使用者の肌を温めることができない。さらに、使用者の手足のむくみを解消することはできず、使用者の新陳代謝を促進することはできない。
【０００５】
本発明の目的は、磁力線の作用によって筋肉組織の血行を改善し、筋肉組織の緊張を解いてこりをほぐす他、使用者の肌面に対して温熱効果を発揮し、使用者の肌を温めることができ、使用者の手足のむくみを解消することができるとともに、新陳代謝を促進することができるシート状健康増進具を提供することにある。
【課題を解決するための手段】
【０００６】
前記課題を解決するための本発明の前提は、使用者の肌面に着脱可能に貼付するシート状健康増進具である。
【０００７】
前記前提における本発明のシート状健康増進具の第１の特徴は、シート状健康増進具が、粘着面および非粘着面を有して粘着面が使用者の肌面に貼付される所定面積の粘着シートと、肌非当接面および肌当接面を有して肌非当接面が粘着シートの粘着面に貼付される包装材と、包装材の内部に収容された収容成分と、包装材の肌当接面に固着された少なくとも１つの磁気発生材とから形成され、包装材の肌非当接面が所定面積の不通気不透液性シートから作られ、包装材の肌当接面が所定面積の通気透液性繊維不織布から作られ、収容成分が、肌面から発散されて通気透液性繊維不織布を透過した汗を吸収して液状に変わるデキストリン粉末を含むことにある。
【０００８】
前記第１の特徴を有するシート状健康増進具の一例としては、収容成分が堆積鉱物を微粉砕した鉱物粉体を加熱処理することから作られて使用者の体温によって温められて肌面に遠赤外線を放射する遠赤外線放射粉末を含む。
【０００９】
前記第１の特徴を有するシート状健康増進具の他の一例としては、磁気発生材がＮ極とＳ極とが交互に並び、使用者の肌面に磁力線を発する所定面積の異方性永久磁石であり、異方性永久磁石が包装材の肌当接面の中央に固着されている。
【００１０】
前記第１の特徴を有するシート状健康増進具の他の一例としては、磁気発生材が使用者の肌面に磁力線を発する粒状の複数個の永久磁石であり、それら永久磁石が包装材の肌当接面に一方向へ所定寸法離間して並ぶとともに一方向と交差する方向へ所定寸法離間して並んでいる。
【００１１】
前記第１の特徴を有するシート状健康増進具の他の一例としては、磁気発生材が、堆積鉱物を微粉砕した鉱物粉体にバインダーを加えて造粒成形した後に焼結して作られ、使用者の体温によって温められて肌面に遠赤外線を放射する多孔質の遠赤外線放射材と、遠赤外線放射材の中央に固定され、肌面に磁力線を発する永久磁石とから形成され、遠赤外線放射材が、包装材の肌当接面に固着された固着面と、使用者の肌面に当接する略扁平の当接面とを有し、永久磁石が、遠赤外線放射材の当接面から固着面に向かって遠赤外線放射材の内部に埋め込まれた固定部と、遠赤外線放射材の当接面から露出する略扁平の露出部とを有する。
【００１２】
前記第１の特徴を有するシート状健康増進具の他の一例として、包装材の内部には、磁石粉末と複数個の粒状磁石とのうちの少なくとも一方が収容されている。
【００１３】
前記前提における本発明のシート状健康増進具の第２の特徴は、シート状健康増進具が、粘着面および非粘着面を有して粘着面が使用者の肌面に貼付される所定面積の粘着シートと、肌非当接面および肌当接面を有して肌非当接面が粘着シートの粘着面に貼付される包装材と、包装材の内部に収容された収容成分とから形成され、包装材の肌非当接面が所定面積の不通気不透液性シートから作られ、包装材の肌当接面が所定面積の通気透液性繊維不織布から作られ、収容成分が、肌面から発散されて繊維不織布を透過した汗を吸収して液状に変わるデキストリン粉末と、複数個の粒状磁石と磁石粉末とのうちの少なくとも一方とを含むことにある。
【００１４】
前記第２の特徴を有するシート状健康増進具の一例としては、収容成分が堆積鉱物を微粉砕した鉱物粉体を加熱処理することから作られて使用者の体温によって温められて肌面に遠赤外線を放射する遠赤外線放射粉末を含む。
【００１５】
前記第１および第２の特徴を有するシート状健康増進具の一例としては、収容成分が木酢パウダーと竹酢パウダーとどくだみパウダーとビワパウダーと韃靼蕎麦パウダーとキトサンとビタミンＣとのうちの少なくとも１つを含む。
【００１６】
前記第１および第２の特徴を有するシート状健康増進具の他の一例としては、収容成分が抗菌・殺菌作用を有する植物粉末と発汗作用を有する植物粉末との少なくとも一方を含む。
【００１７】
前記第１および第２の特徴を有するシート状健康増進具の他の一例としては、収容成分の全重量を１００重量％としたときのデキストリン粉末の重量割合が７０〜８０重量％の範囲にあり、シート状健康増進具では、使用者の肌面から発散された汗を吸収したデキストリン粉末が液状のデキストリンに変わったときに、液状のデキストリンに溶け込んだ液状のデキストリンを除く他の収容成分が液状のデキストリンとともに通気透液性繊維不織布を透過して肌面に付着する。
【００１８】
前記第１および第２の特徴を有するシート状健康増進具の他の一例としては、粘着シートが粘着面を被覆保護する剥離シートを含み、粘着シートの面積が包装材のそれよりも大きく、シート状健康増進具では、粘着シートの粘着面から剥離シートを剥離して粘着面を露出させ、粘着面に包装材の肌非当接面を貼付した後、包装材の外周縁から径方向外方に延出する粘着シートの粘着面を使用者の肌面に貼付する。
【００１９】
前記第１および第２の特徴を有するシート状健康増進具の他の一例として、シート状健康増進具では、粘着シートの面積が包装材のそれよりも大きく、粘着シートの粘着面に包装材の肌非当接面が固着されて粘着シートと包装材とが一体になり、包装材の肌当接面と包装材の外周縁から径方向外方に延出する粘着シートの粘着面とが剥離シートに被覆保護され、粘着シートの粘着面と包装材の肌当接面とから剥離シートを剥離して粘着面と肌当接面とを露出させ、包装材の外周縁から径方向外方に延出する粘着シートの粘着面を使用者の肌面に貼付する。
【００２０】
前記第１および第２の特徴を有するシート状健康増進具の他の一例として、包装材では、不通気不透液性シートの外周縁部と通気透液性繊維不織布の外周縁部とが重なり、それらの外周縁部が所定の幅で水密に固着され、外周縁部の内側に収容成分を収容する収容部が形成されている。
【００２１】
前記第１および第２の特徴を有するシート状健康増進具の他の一例としては、シート状健康増進具が使用者の足裏の肌面に着脱可能に貼付される。
【発明の効果】
【００２２】
第１の特徴を有する本発明のシート状健康増進具によれば、包装材の肌当接面に固着されて使用者の肌面に磁力線を発する磁気発生材を含み、それを使用者の患部（つぼ）や所定の部位に貼付することにより、磁気発生材から発せられた磁力線の作用によって使用者の筋肉組織の血行を改善することができ、血行が良くなるとともに、筋肉組織の緊張を解いてこりをほぐすことができる。シート状健康増進具は、デキストリン粉末が使用者の肌面から発散されて通気透液性繊維不織布を透過した汗を吸収して液状に変わり、汗とそれに含まれる老廃物とがデキストリンに吸収されるから、デキストリン粉末の水分老廃物吸収作用によって使用者の手足のむくみを解消することができるとともに、使用者の新陳代謝を促進することができる。
【００２３】
収容成分が堆積鉱物を微粉砕した鉱物粉体を加熱処理することから作られて使用者の体温によって温められて肌面に遠赤外線を放射する遠赤外線放射粉末を含むシート状健康増進具は、包装材の肌当接面に固着されて使用者の肌面に磁力線を発する磁気発生材と使用者の体温によって温められて使用者の肌面に遠赤外線を放射する遠赤外線放射粉末とを含み、それを使用者の患部（つぼ）や所定の部位に貼付することにより、磁気発生材から発せられた磁力線の作用によって使用者の筋肉組織の血行を改善することができ、筋肉組織の緊張を解いてこりをほぐすことができる他、遠赤外線放射粉末が使用者の体温によって温められた後に蓄えた熱を遠赤外線として使用者の肌面に放射するから、遠赤外線が肌に対する温熱効果を発揮し、遠赤外線によって使用者の肌を温めることができる。シート状健康増進具は、遠赤外線放射粉末から放射された遠赤外線の温熱効果と磁気発生材から発せられた磁力線との相互作用によって血行が良くなり、筋肉の疲れを取ることができるとともに、神経痛や筋肉痛を緩和することができる。
【００２４】
磁気発生材がＮ極とＳ極とが交互に並んで使用者の肌面に磁力線を発する所定面積の異方性永久磁石であり、異方性永久磁石が包装材の肌当接面の中央に固着されているシート状健康増進具は、Ｎ極とＳ極とが交互に並ぶ異方性永久磁石から発せられた磁力線の作用によって使用者の筋肉組織の血行を改善し、筋肉組織の緊張を解いてこりをほぐす他、遠赤外線放射粉末から放射された遠赤外線の温熱効果と異方性永久磁石から発せられた磁力線との相互作用やデキストリン粉末の水分老廃物吸収作用により、筋肉の疲れを取ることができ、神経痛や筋肉痛を緩和することができるとともに、手足のむくみを解消することができ、使用者の新陳代謝を促進することができる。
【００２５】
磁気発生材が使用者の肌面に磁力線を発する粒状の複数個の永久磁石であり、それら永久磁石が包装材の肌当接面に一方向へ所定寸法離間して並ぶとともに一方向と交差する方向へ所定寸法離間して並んでいるシート状健康増進具は、肌当接面の各方向に並ぶ粒状の複数個の永久磁石から発せられた磁力線の作用によって使用者の筋肉組織の血行を改善し、筋肉組織の緊張を解いてこりをほぐす他、遠赤外線放射粉末から放射された遠赤外線の温熱効果とそれら永久磁石から発せられた磁力線との相互作用や液状のデキストリン粉末の水分老廃物吸収作用により、筋肉の疲れを取ることができ、神経痛や筋肉痛を緩和することができるとともに、手足のむくみを解消することができ、使用者の新陳代謝を促進することができる。
【００２６】
磁気発生材が使用者の体温によって温められて肌面に遠赤外線を放射する多孔質の遠赤外線放射材と遠赤外線放射材の中央に固定されて肌面に磁力線を発する永久磁石とから形成され、遠赤外線放射材が包装材の肌当接面に固着された固着面と使用者の肌面に当接する略扁平の当接面とを有し、永久磁石が遠赤外線放射材の当接面から固着面に向かって遠赤外線放射材の内部に埋め込まれた固定部と遠赤外線放射材の当接面から露出する略扁平の露出部とを有するシート状健康増進具は、遠赤外線放射材が包装材から露出して使用者の肌面に直接当接するから、遠赤外線放射材から放射された赤外線が肌に直に放射され、遠赤外線放射粉末から放射された遠赤外線と遠赤外線放射材から放射された遠赤外線とによって健康増進具の温熱効果を向上させることができる。シート状健康増進具は、遠赤外線放射材の当接面から露出する永久磁石の露出部から発せられた磁力線の作用によって使用者の筋肉組織の血行を改善し、筋肉組織の緊張を解いてこりをほぐす他、遠赤外線放射粉末および遠赤外線放射材から放射された遠赤外線の温熱効果と永久磁石から発せられた磁力線との相互作用やデキストリン粉末の水分老廃物吸収作用により、筋肉の疲れを取ることができ、神経痛や筋肉痛を緩和することができるとともに、手足のむくみを解消することができ、使用者の新陳代謝を促進することができる。
【００２７】
磁石粉末と複数個の粒状磁石とのうちの少なくとも一方が包装材の内部に収容されているシート状健康増進具は、包装材の肌当接面に固着された磁気発生材が発する磁力線と包装材の内部に収容された磁石粉末と複数個の粒状磁石とのうちの少なくとも一方が発する磁力線とによって健康増進具から発する磁力線を多くすることができる。シート状健康増進具は、包装材の肌当接面に固着された磁気発生材と包装材の内部に収容された磁石粉末と複数個の粒状磁石とのうちの少なくとも一方とから発せられた磁力線の作用によって使用者の筋肉組織の血行を改善し、筋肉組織の緊張を解いてこりをほぐす他、遠赤外線放射粉末から放射された遠赤外線の温熱効果と磁石粉末と複数個の粒状磁石とのうちの少なくとも一方から発せられた磁力線との相互作用やデキストリン粉末の水分老廃物吸収作用により、筋肉の疲れを取ることができ、神経痛や筋肉痛を緩和することができるとともに、手足のむくみを解消することができに、使用者の新陳代謝を促進することができる。
【００２８】
第２の特徴を有する本発明のシート状健康増進具によれば、包装材の内部に収容されて使用者の肌面に磁力線を発する磁石粉末を含み、それを使用者の患部（つぼ）や所定の部位に貼付することにより、磁石粉末や複数個の粒状磁石から発せられた磁力線の作用によって使用者の筋肉組織の血行を改善することができ、血行が良くなるとともに、筋肉組織の緊張を解いてこりをほぐすことができる。シート状健康増進具は、デキストリン粉末が使用者の肌面から発散されて通気透液性繊維不織布を透過した汗を吸収して液状に変わり、汗に含まれる老廃物が液状のデキストリンに吸収されるから、デキストリン粉末の水分老廃物吸収作用によって使用者の手足のむくみを解消することができるとともに、使用者の新陳代謝を促進することができる。
【００２９】
収容成分が堆積鉱物を微粉砕した鉱物粉体を加熱処理することから作られて使用者の体温によって温められて肌面に遠赤外線を放射する遠赤外線放射粉末を含むシート状健康増進具は、包装材の内部に収容されて使用者の肌面に磁力線を発する磁石粉末と複数個の粒状磁石とのうちの少なくとも一方と使用者の体温によって温められて使用者の肌面に遠赤外線を放射する遠赤外線放射粉末とを含み、それを使用者の患部（つぼ）や所定の部位に貼付することにより、磁石粉末や複数個の粒状磁石から発せられた磁力線の作用によって使用者の筋肉組織の血行を改善することができ、筋肉組織の緊張を解いてこりをほぐすことができる他、遠赤外線放射粉末が使用者の体温によって温められた後に蓄えた熱を遠赤外線として使用者の肌面に放射するから、遠赤外線が肌に対する温熱効果を発揮し、遠赤外線によって使用者の肌を温めることができる。シート状健康増進具は、遠赤外線放射粉末から放射された遠赤外線の温熱効果と磁石粉末と複数個の粒状磁石とのうちの少なくとも一方から発せられた磁力線との相互作用によって血行が良くなり、筋肉の疲れを取ることができるとともに、神経痛や筋肉痛を緩和することができる。
【００３０】
収容成分が木酢パウダーと竹酢パウダーとどくだみパウダーとビワパウダーと韃靼蕎麦パウダーとキトサンとビタミンＣとのうちの少なくとも１つを含むシート状健康増進具は、木酢パウダーおよび竹酢パウダーが有する疲労回復効果や消臭効果によって使用者の筋肉も疲れを取ることができるとともに、使用者の肌から発散される臭いを除去することができる。シート状健康増進具は、どくだみパウダーが有するリラックス効果や抗菌・殺菌作用によって使用者の緊張を緩和しつつ肌面の除菌や殺菌をすることができ、ビワパウダーが有する老化防止効果や疲労回復効果によって使用者の老化を防ぎ、使用者の疲労を回復させることができるとともに、韃靼蕎麦パウダーが有する血流促進作用によって使用者の血流を改善することができる。さらに、シート状健康増進具は、キトサンが有する解毒・毒排出作用によって使用者から老廃物を排出させ、使用者の新陳代謝を促進することができ、ビタミンＣが有する免疫力向上効果によって使用者の免疫力を向上させることができる。
【００３１】
収容成分が抗菌作用を有する植物粉末と発汗作用を有する植物粉末との少なくとも一方を含むシート状健康増進具は、抗菌・殺菌作用を有する植物粉末を含むことで、健康増進具を貼付した肌面の除菌や殺菌をすることができ、発汗作用を有する植物粉末を含むことで、健康増進具を貼付した肌面からの発汗が促進され、筋肉の緊張をほぐすことができ、肌面の水分を消散させることができるとともにむくみを解消することができる。
【００３２】
収容成分の全重量を１００重量％としたときのデキストリン粉末の重量割合が７０〜８０重量％の範囲にあり、使用者の肌面から発散された汗を吸収したデキストリン粉末が液状のデキストリンに変わったときに、液状のデキストリンに溶け込んだ他の収容成分が液状のデキストリンとともに通気透液性繊維不織布を透過して肌面に付着するシート状健康増進具は、収容成分の全重量に対するデキストリン粉末の重量割合が前記範囲にあり、汗に含まれる老廃物をデキストリン粉末に十分に吸収されることができるから、デキストリン粉末の水分老廃物吸収作用によって使用者の手足のむくみを解消することができるとともに、使用者の新陳代謝を促進することができる。シート状健康増進具は、液状のデキストリンに溶け込んだ他の収容成分が液状のデキストリンとともに通気透液性繊維不織布を透過して肌面に付着することで、それら収容成分が有する疲労回復効果や消臭効果、リラックス効果、解毒・毒排出効果、免疫効果、抗菌作用、発汗作用の各効能を使用者に確実に作用させることができ、使用者に対してそれら効能による効果を確実に発揮させることができる。
【００３３】
粘着シートが粘着面を被覆保護する剥離シートを含み、粘着シートの面積が包装材のそれよりも大きく、粘着シートの粘着面から剥離シートを剥離して粘着面を露出させ、粘着面に包装材の肌非当接面を貼付した後、包装材の外周縁から径方向外方に延出する粘着シートの粘着面を使用者の肌面に貼付するシート状健康増進具は、粘着面に包装材の肌非当接面を貼付ししつつ、粘着シートの粘着面を使用者の肌面に貼付することで、健康増進具を手間を要せず簡単に使用者の所定の部位の肌面に貼付することができ、健康増進具を何時でも手軽に利用することができる。シート状健康増進具は、包装材の不通気不透液性シートが包装材よりも面積が大きい粘着シートの粘着面に貼付されるから、使用者の汗を吸収して液状に変わったデキストリンが粘着シートの外側に漏れ出すことはなく、液状のデキストリンが粘着シートの外側に漏れ出すことによる汚れを防ぐことができる。
【００３４】
粘着シートの粘着面に包装材の肌非当接面が固着されて粘着シートと包装材とが一体になり、包装材の肌当接面と包装材の外周縁から径方向外方に延出する粘着シートの粘着面とが剥離シートに被覆保護され、粘着シートの粘着面と包装材の肌当接面とから剥離シートを剥離して粘着面と肌当接面とを露出させ、包装材の外周縁から径方向外方に延出する粘着シートの粘着面を使用者の肌面に貼付するシート状健康増進具は、包装材が所定面積の粘着シートの粘着面に固着されて粘着シートと包装材とが一体になっているから、健康増進具の使用時に、粘着シートの粘着面と包装材の肌当接面とから剥離シートを剥離し、粘着シートの粘着面を使用者の肌面に貼付することで、健康増進具を手間を要せず簡単に使用者の所定の部位の肌面に貼付することができ、健康増進具を何時でも手軽に利用することができる。包装材がそれよりも面積が大きい粘着シートの粘着面に貼付されて粘着シートと包装材とが一体になっているから、使用者の汗を吸収して液状に変わったデキストリンが粘着シートの外側に漏れ出すことはなく、液状のデキストリンが粘着シートの外側に漏れ出すことによる汚れを防ぐことができる。
【００３５】
包装材を形成する不通気不透液性シートの外周縁部と通気透液性繊維不織布の外周縁部とが重なり、それらの外周縁部が所定の幅で水密に固着され、外周縁部の内側に収容成分を収容する収容部が形成されているシート状健康増進具は、不通気不透液性シートの外周縁部と通気透液性繊維不織布の外周縁部とが粘着シートの粘着面に貼付されることで、不通気不透液性シートの外周縁部と不通気不透液性シートの外周縁部に水密に固着された通気透液性繊維不織布の外周縁部とが不透液領域となり、使用者の汗を吸収して液状に変わったデキストリンが包装材の外周縁部から外側に漏れ出すことがなく、液状のデキストリンが粘着シートの外側に漏れ出すことはないから、液状のデキストリンが粘着シートの外側に漏れ出すことによる汚れを防ぐことができる。
【００３６】
使用者の足裏の肌面に着脱可能に貼付されるシート状健康増進具は、それを足裏に貼付することにより、磁気発生材から発せられた磁力線の作用によって使用者の足の血行を改善し、遠赤外線放射粉末から放射された遠赤外線によって足を温めることができ、足の疲労を回復させることができる。シート状健康増進具は、デキストリン粉末が使用者の肌面から発散されて繊維不織布を透過した汗を吸収して液状に変わり、汗とそれに含まれる老廃物とがデキストリン粉末に吸収されるから、デキストリン粉末の水分老廃物吸収作用によって足のむくみを解消することができるとともに、足の新陳代謝を促進することができる。
【図面の簡単な説明】
【００３７】
【図１】異方性永久磁石を固着した一例として示す包装材の平面図。
【図２】図１のＡ−Ａ線端面図。
【図３】包装材の収容部に収容される収容成分を模式的に表した図。
【図４】一例として示す粘着シートの部分破断平面図。
【図５】図４のＢ−Ｂ線端面図。
【図６】包装材を粘着シートに貼付する手順を説明する図。
【図７】包装材が粘着シートに貼付された状態のシート状健康増進具の平面図。
【図８】シート状健康増進具を使用者の足裏に貼付する手順を説明する図。
【図９】他の一例として示す包装材の平面図。
【図１０】図９のＣ−Ｃ線端面図。
【図１１】包装材が粘着シートに貼付された状態のシート状健康増進具の平面図。
【図１２】他の一例として示す包装材の平面図。
【図１３】図１２のＤ−Ｄ線端面図。
【図１４】包装材が粘着シートに貼付された状態のシート状健康増進具の平面図。
【図１５】他の一例として示すシート状健康増進具の部分破断平面図。
【図１６】図１５のＥ−Ｅ線端面図。
【図１７】他の一例として示すシート状健康増進具Ｅの部分破断平面図。
【図１８】図１７のＦ−Ｆ線端面図。
【図１９】他の一例として示すシート状健康増進具の部分破断平面図。
【図２０】図１９のＧ−Ｇ線端面図。
【図２１】他の一例として示す包装材の平面図。
【図２２】図２１のＨ−Ｈ線端面図
【図２３】包装材の収容部に収容される収容成分を模式的に表した図。
【図２４】包装材が粘着シートに貼付された状態のシート状健康増進具の平面図。
【図２５】他の一例として示すシート状健康増進具Ｈの部分破断平面図。
【図２６】図２５のＩ−Ｉ線端面図。
【発明を実施するための形態】
【００３８】
異方性永久磁石１４を固着した一例として示す包装材１２ａの平面図である図１等の添付の図面を参照し、本発明に係るシート状健康増進具の詳細を説明すると、以下のとおりである。なお、図２は、図１のＡ−Ａ線端面図であり、図３は、包装材１２ａの収容部３７に収容される収容成分１３を模式的に表した図である。図４は、一例として示す粘着シート１１の部分破断平面図であり、図５は、図４のＢ−Ｂ線端面図である。図４では、剥離シート１８の一部を破断して示す。図１，４では、縦方向を矢印Ｘで示し、横方向を矢印Ｙで示す。
【００３９】
シート状健康増進具１０Ａは、所定面積の粘着シート１１と、所定面積の包装材１２ａ（包装袋）と、包装材１２ａに収容された収容成分１３と、異方性永久磁石１４（磁気発生材）とから形成されている。粘着シート１１は、粘着面１５および非粘着面１６を有する疎水性繊維不織布１７と、剥離面に剥離加工が施された剥離シート１８（剥離紙）とから形成されている。疎水性繊維不織布１７は、矩形に成形され、縦方向へ延びる両側縁１９と、横方向へ延びる両端縁２０とを有する。疎水性繊維不織布１７の粘着面１５には粘着剤２１が塗布され、非粘着面１６には粘着剤は塗布されていない。粘着剤２１には、耐水性を有するアクリル系粘着剤が使用されている。
【００４０】
剥離シート１８は、疎水性繊維不織布１７と同形同大であり、縦方向へ延びる両側縁２２と、横方向へ延びる両端縁２３とを有する。剥離シート１８は、その剥離面が疎水性繊維不織布１７の粘着面１５に剥離可能に貼付され、繊維不織布１７の粘着面１５全域を被覆保護している。剥離シート１８には、横方向へ延びる切り込み線２４が形成されている。剥離シート１８は、切り込み線２４によって縦方向に分断され、縦方向上方に位置する小面積部２５と、縦方向下方に位置する大面積部２６とに分かれている。
【００４１】
なお、疎水性繊維不織布１７の他に、不透液性プラスチックフィルム、疎水性繊維不織布どうしをラミネートした複合不織布、疎水性繊維不織布と不透液性プラスチックフィルムとをラミネートした複合シートのいずれかを使用することもできる。また、疎水性の伸縮性繊維不織布、不透液性の伸縮性プラスチックフィルム、疎水性の伸縮性繊維不織布どうしをラミネートした複合不織布、疎水性の伸縮性繊維不織布と不透液性の伸縮性プラスチックフィルムとをラミネートした複合シートのいずれかを使用することもできる。疎水性繊維不織布１７および剥離シート１８は、その両側縁１９，２２の寸法が１０〜１５ｃｍの範囲にあり、その両端縁２０，２３の寸法が８〜１２ｃｍの範囲にある。
【００４２】
包装材１２ａは、肌非当接面２７および肌当接面２８を有し、その平面形状が矩形を呈する。包装材１２ａは、その面積が粘着シート１１のそれよりも小さい。包装材１２ａの肌非当接面２７は、矩形に成形された所定面積の不通気不透液性シート２９から作られている。不通気不透液性シート２９は、縦方向へ延びる両側縁部３０（外周縁部）と、横方向へ延びる両端縁部３１（外周縁部）と、それら縁部３０，３１を除く中央部３２（収容部）とを有し、その面積が粘着シート１１のそれよりも小さい。不通気不透液性シート２９には、図示はしていないが、ＰＥＴ（ペット）フィルムとＰＥＴフィルムにラミネートされたＰＥ（ポリエチレン）フィルムとＰＥフィルムにラミネートされたＡＬ（アルミ）フィルムとから作られた複合フィルムが使用されている。
【００４３】
包装材１２ａの肌当接面２８は、矩形に成形された所定面積の通気透液性繊維不織布３３から作られている。通気透液性繊維不織布３３は、縦方向へ延びる両側縁部３４（外周縁部）と、横方向へ延びる両端縁部３５（外周縁部）と、それら縁部３４，３５を除く矩形の中央部３６（収容部）とを有し、その面積が粘着シート１１のそれよりも小さい。通気透液性繊維不織布３３には、親水性繊維不織布が使用されている。不通気不透液性シート２９および通気透液性繊維不織布３３は、その両側縁部３０，３４の寸法が７〜９ｃｍの範囲にあり、その両端縁部３１の寸法が５〜７ｃｍの範囲にある。
【００４４】
包装材１２ａでは、不通気不透液性シート２９（ＰＥＴ（ペット）フィルム）と通気透液性繊維不織布３３とが重なり合い、不通気不透液性シート２９の両側縁部３０（外周縁部）と通気透液性繊維不織布３３の両側縁部３４（外周縁部）とが所定の幅（たとえば、５〜８ｍｍ）で水密に固着され、不通気不透液性シート２９の両端縁部３１（外周縁部）と通気透液性繊維不織布３３の両端縁部３５（外周縁部）とが所定の幅（たとえば、５〜８ｍｍ）で水密に固着されている。したがって、包装材１２ａは、４方向がすべて固着（シール）された四方シール包装材１２ａである。不通気不透液性シート２９（ＰＥＴ（ペット）フィルム）と通気透液性繊維不織布３３との固着には、ヒートシールやソニックシール等の熱による溶着手段が利用されている。
【００４５】
疎水性繊維不織布１７や通気透液性繊維不織布３３（親水性繊維不織布）には、スパンレース、ニードルパンチ、メルトブローン、サーマルボンド、スパンボンド、ケミカルボンドの各製法により製造されたものを使用することができる。疎水性繊維不織布１７は、撥水化処理が施された合成繊維、半合成繊維、再生繊維のうちのいずれか、または、それら繊維を混合した複合繊維から作られている。通気透液性繊維不織布３３（親水性繊維不織布）は、親水化処理が施された合成繊維、半合成繊維、再生繊維のうちのいずれか、または、それら繊維を混合した複合繊維から作られている。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００４６】
疎水性の伸縮性繊維不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。伸縮性繊維には、撥水化処理が施されている。伸縮性繊維不織布には、熱可塑性エラストマー樹脂繊維からなる伸縮性かつ疎水性繊維不織布の少なくとも片面に、熱可塑性合成樹脂を溶融、紡糸した捲縮繊維からなる疎水性繊維不織布を重ね合わせた複合不織布を使用することもできる。
【００４７】
収容成分１３は、包装材１２ａの収容部３７（内部）に収容されている。収容成分１３は、デキストリン粉末１３ａ、遠赤外線放射粉末１３ｂ、木酢パウダー１３ｃ（木酢粉末）、竹酢パウダー１３ｄ（竹酢粉末）、どくだみパウダー１３ｅ（どくだみ粉末）、ビワパウダー１３ｆ（ビワ粉末）、韃靼蕎麦パウダー１３ｇ（韃靼蕎麦粉末）、キトサン１３ｈ、ビタミンＣ１３ｉから形成されている。なお、収容成分１３には、木酢パウダー１３ｃ、竹酢パウダー１３ｄ、どくだみパウダー１３ｅ、ビワパウダー１３ｆ、韃靼蕎麦パウダー１３ｇ、キトサン１３ｈ、ビタミンＣ１３ｉのうちの少なくとも１つが含まれていればよい。
【００４８】
デキストリン粉末１３ａは、デンプンを加水分解して得られたデキストリンを微粉砕（粉末化）することで作られている。デキストリン粉末１３ａは、使用者３８の肌面（足裏３９の肌面）から発散されて包装材１２ａの肌当接面２８を形成する通気透液性繊維不織布３３を透過した汗を吸収して液状に変わる。
【００４９】
デキストリン粉末１３ａは、粉末成分１３の全重量を１００重量％としたときのその重量割合が７０〜８０重量％の範囲にある。デキストリン粉末１３ａの重量割合が７０重量％未満では、使用者３８の肌面から発散される汗を包装材１２ａに十分に吸収させることができず、使用者３８の肌面の水分を消散させることができないとともに、使用者３８の新陳代謝を促進することができない。デキストリン粉末１３ａの重量割合が８０重量％を超過すると、他の収容成分１３ｂ〜１３ｇの重量割合が少なくなり、他の収容成分１３ｂ〜１３ｇの各効能を十分に利用することができない。包装材１２ａでは、デキストリン粉末１３ａの重量割合が前記範囲にあるから、使用者３８の肌面から発散される汗を包装材１２ａのデキストリン粉末１３ａに十分に吸収させることができ、他の収容成分１３ｂ〜１３ｇの各効能を十分に利用することができる。
【００５０】
遠赤外線放射粉末１３ｂは、加熱すると遠赤外線を放出する堆積鉱物（天然鉱石）を微粉砕（粉末化）して鉱物粉体を作った後、その鉱物粉体に加熱処理を施し、鉱物粉体をセラミック化することによって作られている。鉱物粉体は、二酸化ケイ素（シリカ：ＳｉＯ２）と酸化アルミニウム（アルミナ：ＡＩ２Ｏ３）と酸化第二鉄（Ｆｅ２Ｏ３）とを主成分とし、その他の成分として、酸化カルシウム（ＣａＯ）、酸化マグネシウム（ＭｇＯ）、酸化ナトリウム（Ｎａ２Ｏ）、酸化カリウム（Ｋ２Ｏ）を含有する。
【００５１】
鉱物粉体の加熱処理の温度は、２００〜１１００℃の範囲、好ましくは、９００〜１１００℃の範囲にある。鉱物粉体の平均粒径は、０．５〜２２０μｍの範囲にある。鉱物粉体（遠赤外線放射粉末１３ｂ）から多くの遠赤外線を放射させるには鉱物粉体の平均粒径が大きい程よいが、鉱物粉体の平均粒径を前記範囲にすることで、鉱物粉体（遠赤外線放射粉末１３ｂ）から遠赤外線を効率よく放射させることができる。
【００５２】
なお、遠赤外線放射粉末１３ｂは、前記鉱物粉体の他に、または、前記鉱物粉体に加え、セラミック粉体を使用することもできる。セラミック粉体は、二酸化ジルコニウム（ジルコミア）、二酸化ケイ素（シリカ）、酸化アルミニウム（アルミナ）、ケイ酸塩鉱物（コージェライト）、アルミノケイ酸塩鉱物（ムライト）、酸化マグネシウム（マグネシア）、二酸化チタン（チタニア）から選択された少なくとも１種類以上のセラミックを微粉砕して作ることができる。遠赤外線放射粉末１３ｂは、前記鉱物粉体の他に、または、前記鉱物粉体に加え、トルマリン鉱物粉体やブラックシリカ粉体（黒色鉱物粉体）のうちの少なくとも１つを使用することもできる。
【００５３】
遠赤外線放射粉末１３ｂ（鉱物粉体）の全重量を１００重量％としたときの二酸化ケイ素（ＳｉＯ２）の重量割合は、５０重量％以上であって６０重量％以下の範囲、遠赤外線放射粉末１３ｂの全重量を１００重量％としたときの酸化アルミニウム（ＡＩ２Ｏ３）の重量割合は、２０重量％以上であって２５重量％以下の範囲にあり、遠赤外線放射粉末１３ｂの全重量を１００重量％としたときの酸化第二鉄（Ｆｅ２Ｏ３）の重量割合は、１０重量％以上であって１５重量％以下の範囲にある。なお、遠赤外線放射粉末１３ｂの全重量に対する二酸化ケイ素の好ましい重量割合は５６．４０重量％、酸化アルミニウムアルミナの好ましい重量割合は２１．２０重量％、酸化第二鉄の好ましい重量割合は１２．６０重量％である。
【００５４】
遠赤外線放射粉末１３ｂ（鉱物粉体）の全重量を１００重量％としたときの酸化カルシウム（ＣａＯ）の重量割合は、３重量％以上であって７重量％以下の範囲、遠赤外線放射粉末１３ｂの全重量を１００重量％としたときの酸化マグネシウム（ＭｇＯ）の重量割合は、２重量％以上であって５重量％以下の範囲にあり、遠赤外線放射粉末１３ｂの全重量を１００重量％としたときの酸化ナトリウム（Ｎａ２Ｏ）の重量割合は、０．２重量％以上であって０．７重量％以下の範囲、遠赤外線放射粉末１３ｂの全重量を１００重量％としたときの酸化カリウム（Ｋ２Ｏ）の重量割合は、０．１重量％以上であって０．３重量％以下の範囲にある。なお、遠赤外線放射粉末１３ｂの全重量に対する酸化カルシウムの好ましい重量割合は３．７８重量％、酸化マグネシウムの好ましい重量割合は２．８６重量％であり、酸化ナトリウムの好ましい重量割合は０．４２重量％、酸化カリウムの好ましい重量割合は０．１７重量％である。
【００５５】
遠赤外線放射粉末１３ｂ（鉱物粉体）は、その赤外線放射率が８〜１４μｍの波長範囲において９０％以上である。遠赤外線放射粉末１３ｂは、異なる振動波長域を有する二酸化ケイ素や酸化アルミニウム、酸化第二鉄、酸化カルシウム、酸化マグネシウム、酸化ナトリウム、酸化カリウムを含有し、それらがそれぞれ波長の異なる赤外線を放射する。遠赤外線放射粉末１３ｂが単一の成分のみから作られている場合、放射波長はその成分の固有振動による波長のみとなり、放射効率が低くなるが、遠赤外線放射粉末１３ｂは、それぞれ波長の異なる赤外線を放射する各種複数の成分を含有するから、単一の成分のみから作られた場合と比較し、高い赤外線放射効率を有する。
【００５６】
物質から放射される遠赤外線の波長分布は、その物質の組成や温度、分子構造によって決まるが、体温付近では、７〜１４μｍ、特に８〜１０μｍの遠赤外線が放射の主体となる。この波長域に同調する分子振動を有する代表的な物質として、二酸化ケイ素（シリカ）や酸化アルミニウム（アルミナ）、酸化鉄があり、それらを最適な範囲で含有する遠赤外線放射粉末１３ｂは、人の平均体温の波長と同一の波長域である８〜１４μｍの波長範囲において高い効率で赤外線を放射する。
【００５７】
木酢パウダー１３ｃは、木炭焼成時に採取した木酢から作られ、木酢含有率が５０〜８０％である。木酢パウダー１３ｃは、疲労回復効果および消臭効果を有する。竹酢パウダー１３ｄは、竹炭焼成時に採取した竹酢から作られ、竹酢含有率が５０〜８０％である。竹酢パウダー１３ｄは、疲労回復効果および消臭効果を有する。どくだみパウダー１３ｅは、乾燥させたどくだみを微粉砕（粉末化）することから作られ、リラックス効果および抗菌・殺菌作用を有する。ビワパウダー１３ｆは、ビワの種またはビワの葉を微粉砕（粉末化）することから作られ、老化防止効果や疲労回復効果を有し、韃靼蕎麦パウダー１３ｇは、韃靼蕎麦を微粉砕（粉末化）することから作られ、血流促進作用を有する。キトサン１３ｈ（キトサン乾燥パウダー）は、解毒・毒排出作用を有し、ビタミンＣ１３ｉは、免疫力向上効果を有する。
【００５８】
なお、図示はしていないが、収容成分１３として、抗菌・殺菌作用を有する植物粉末（植物パウダー）と発汗作用を有する植物粉末（植物パウダー）とのうちの少なくとも一方が含まれていてもよい。抗菌・殺菌作用を有する植物粉末には、シソの葉パウダー、チョウジパウダー、ヒノキパウダー、ヒバパウダー、オレガノパウダー、タイムパウダー、セージパウダー、バジルパウダー、ローズマリーパウダー、ラベンダーパウダー等を使用することができる。また、ゼオライト系抗菌剤、シリカゲル系抗菌剤、ガラス系抗菌剤、リン酸カルシウム系抗菌剤、リン酸ジルコニウム系抗菌剤、酸化チタン系抗菌剤、セラミック系抗菌剤等が含まれる場合もある。発汗作用を有する植物粉末には、カモマイルパウダー、カルダモンパウダー、クローブパウダー、シナモンパウダー、ジュニパベリーパウダー、ジンジャーパウダー、セイジパウダー、タイムパウダー、バジルパウダー、フェンネルパウダー、ペパーミントパウダー、ユーカリパウダー等を使用することができる。
【００５９】
異方性永久磁石１４は、その平面形状が矩形に成形されたラバー磁石（ゴム磁石）であり、図示はしていないが、横方向へＮ極とＳ極とが交互に並んでいる。異方性永久磁石１４は、包装材１２ａの肌当接面２８（通気透液性繊維不織布３３）の中央に固着されている。異方性永久磁石１４には、フェライトゴム磁石やネオジウムゴム磁石を使用することができる。異方性永久磁石１４は、その磁力線の磁束密度が４０〜８０ミリテスラの範囲にある。異方性永久磁石１４は、その縦方向の長さ寸法が８〜１２ｍｍの範囲にあり、その横方向の長さ寸法が６〜１０ｍｍの範囲にある。
【００６０】
なお、図１では１個の異方性永久磁石１４が包装材１２ａの肌当接面２８に固着されているが、永久磁石１４の個数に特に制限はなく、２個以上の異方性永久磁石１４が包装材１２ａの肌当接面２８に固着されていてもよい。また、異方性永久磁石１４の平面形状に特に制限はなく、矩形以外の形状（たとえば、球状や円形）の永久磁石１４を使用することもできる。異方性永久磁石１４には、ラバー磁石の他に、フェライト磁石やアルコニ磁石、サルコバ磁石、ネオジム磁石、フェライトプラスチック磁石、ネオジムプラスチック磁石を使用することもできる。異方性永久磁石１４の他に、等方性永久磁石を使用することもできる。
【００６１】
包装材１２ａの収容部３７（内部）には、その図示は省略するが、磁石粉末と複数個の粒状磁石とのうちの少なくとも一方が収容されていてもよい。磁石粉末には、フェライト磁石粉末やネオジム磁石粉末、サマコバ磁石粉末を使用することができる。粒状磁石は、その粒径が０．５〜２ｍｍの球状磁石を使用することが好ましい。粒状磁石には、フェライト粒状磁石やアルコニ粒状磁石、サルコバ粒状磁石、ネオジム粒状磁石を使用することができる。
【００６２】
図６は、包装材１２ａを粘着シート１１に貼付する手順を説明する図であり、図７は、包装材１２ａが粘着シート１１に貼付された状態のシート状健康増進具１０Ａの平面図である。図８は、シート状健康増進具１０Ａを使用者３８の足裏３９に貼付する手順を説明する図である。このシート状健康増進具１０Ａの使用手順の一例は以下のとおりである。
【００６３】
なお、シート状健康増進具１０Ａの使用例として、使用者３８の足裏３９にシート状健康増進具１０Ａを貼付する場合を図示しているが、シート状健康増進具１０Ａは、足裏３９の他に、使用者３８の患部（つぼ）や他の部位（たとえば、手足の各部位）に貼付して使用することもできる。シート状健康増進具１０Ａの使用の一例としては、シート状健康増進具１０Ａを就寝前に使用者３８の足裏３８に装着する。使用者３８は、シート状健康増進具１０Ａを足裏３９に装着した状態で就寝し、起床後にシート状健康増進具１０Ａを足裏３９から剥がし取る。
【００６４】
最初に、使用者３８または介助者（図示せず）が疎水性繊維不織布１７から剥離シート１８の大面積部２６を剥離して粘着面１５（粘着剤２１）を露出させ、疎水性繊維不織布１７の粘着面１５の略中央に包装材１２ａの肌非当接面２７（不通気不透液性シート２９）を貼付する。次に、包装材１２ａの外周縁（両側縁部および両端縁部）から径方向外方に延出する疎水性繊維不織布１７の粘着面１５（粘着剤２１）を使用者３８の足裏３９の肌面に貼付する。疎水性繊維不織布１７の粘着面１５を使用者３８の足裏３９に貼付すると、包装材１２ａの肌当接面２８（通気透液性繊維不織布３３）が使用者３８の足裏３９の肌面に密着する。疎水性繊維不織布１７の粘着面１５を使用者３８の足裏３９の肌面に貼付した後、剥離シート１８の小面積部２５を疎水性繊維不織布１７から剥離して粘着面１５（粘着剤２１）を露出させ、露出させた粘着面１５を使用者３８の足裏３９の肌面に貼付する。
【００６５】
シート状健康増進具１０Ａを足裏３９に装着した後、使用者３８はそのままの状態で就寝する。シート状健康増進具１０Ａの装着中では、遠赤外線放射粉末１３ｂが使用者３８の足裏３９の体温によって温められた後、蓄えた熱を遠赤外線放射粉末１３ｂが遠赤外線として足裏３９の肌面に向かって放射し、遠赤外線の温熱効果によって使用者３９の足裏３９が温められる。さらに、異方性永久磁石１４が使用者３８の足裏３９の肌面に向かって磁力線を発し、足裏３９の血行が促進され、足裏３９のこりが解れる。
【００６６】
シート状健康増進具１０Ａの装着中では、使用者２８が就寝中に足裏３９から発散された汗が包装材１２ａの肌当接面２８の通気透液性繊維不織布３３を透過して包装材１２ａの収容部３７に滲入する。包装材１２ａの収容部３７に滲入した汗はデキストリン粉末１３ａに吸収され、汗によってデキストリン粉末１３ａが液状に変わる。シート状健康増進具１０Ａの装着中にデキストリン粉末１３ａが液状に変わると、デキストリン１３ａを除く他の収容成分１３ｂ〜１３ｉ（遠赤外線放射粉末１３ｂ、木酢パウダー１３ｃ、竹酢パウダー１３ｄ、どくだみパウダー１３ｅ、ビワパウダー１３ｆ、韃靼蕎麦パウダー１３ｇ、キトサン１３ｈ、ビタミンＣ１３ｉ（抗菌・殺菌作用を有する植物粉末や発汗作用を有する植物粉末を含む場合はそれら植物粉末））が液状のデキストリン１３ａに溶け込み、液状のデキストリン１３ａに溶け込んだ他の収容成分１３ｂ〜１３ｉが液状のデキストリン１３ａとともに肌当接面２８の通気透液性繊維不織布３３を透過して使用者３８の足裏３９の肌面に付着する。
【００６７】
シート状健康増進具１０Ａは、液状のデキストリン１３ａに溶け込んだ他の収容成分１３ｂ〜１３ｉが液状のデキストリン１３ａとともに通気透液性繊維不織布３３を透過して足裏３９の肌面に付着するから、それら収容成分１３ｂ〜１３ｉが有する温熱効果や疲労回復効果、消臭効果、リラックス効果、老化防止効果、血流促進作用、解毒・毒排出効果、免疫効果、抗菌作用、発汗作用の各効能が使用者３８の足裏３９に確実に作用し、使用者３８に対してそれら効能による効果が確実に発揮させる。使用者３８が起床した後、使用者３８または介助者は、シート状健康増進具１０Ａを足裏３９から剥がし、使用済みのシート状健康増進具１０Ａを廃棄する。シート状健康増進具１０Ａを足裏３９から剥がすと、液状のデキストリン１３ａおよびそれに溶け込んだ他の収容成分１３ｂ〜１３ｉが足裏３９に付着しているから、足裏３９を洗浄して液状のデキストリン１３ａおよび収容成分１３ｂ〜１３ｉを洗い流す。
【００６８】
シート状健康増進具１０Ａは、包装材１２ａの肌当接面２８の通気透液性繊維不織布３３に固着されて使用者３８の肌面に磁力線を発する異方性永久磁石１４（磁気発生材）と使用者３８の体温によって温められて使用者３８の肌面に遠赤外線を放射する遠赤外線放射粉末１３ｂとを含み、それを使用者３８の患部（つぼ）や所定の部位に貼付することにより、異方性永久磁石１４から発せられた磁力線の作用によって使用者３８の筋肉組織の血行を改善し、筋肉組織の緊張を解いてこりをほぐすことができる他、遠赤外線放射粉末１３ｂが使用者３８の体温によって温められた後に蓄えた熱を遠赤外線として使用者３８の肌面に放射するから、遠赤外線が肌に対する温熱効果を発揮し、遠赤外線によって使用者３８の肌を温めることができる。
【００６９】
シート状健康増進具１０Ａは、遠赤外線放射粉末１３ｂから放射された遠赤外線の温熱効果と異方性永久磁石１４（磁気発生材）から発せられた磁力線との相互作用によって血行が良くなり、筋肉の疲れを取ることができるとともに、神経痛や筋肉痛を緩和することができる。シート状健康増進具１０Ａは、デキストリン粉末１３ａが使用者３８の肌面から発散されて通気透液性繊維不織布３３を透過した汗を吸収して液状に変わり、汗とそれに含まれる老廃物とがデキストリン１３ａに吸収されるから、デキストリン粉末１３ａの水分老廃物吸収作用によって使用者３８の手足のむくみを解消することができるとともに、使用者３８の新陳代謝を促進することができる。
【００７０】
シート状健康増進具１０Ａは、液状のデキストリン１３ａに溶け込んだ他の収容成分１３ｂ〜１３ｇが液体のデキストリン１３ａとともに通気透液性繊維不織布３３を透過して使用者３８の肌面に付着することで、それら収容成分１３ｂ〜１３ｇが有する疲労回復効果や消臭効果、リラックス効果、老化防止効果、解毒・毒排出効果、免疫効果、抗菌作用、発汗作用の各効能を使用者３８に確実に作用させることができ、使用者３８に対してそれら効能による効果を確実に発揮させることができる。
【００７１】
シート状健康増進具１０Ａは、収容成分１３として木酢パウダー１３ｃや竹酢パウダー１３ｄ、どくだみパウダー１３ｅ、ビワパウダー１３ｆ、韃靼蕎麦パウダー１３ｇ、キトサン１３ｈ、ビタミンＣ１３ｉを含むから、木酢パウダー１３ｃおよび竹酢パウダー１３ｄが有する疲労回復効果や消臭効果によって使用者３８の筋肉も疲れを取ることができるとともに、使用者３８の肌から発散される臭いを除去することができる。シート状健康増進具１０Ａは、どくだみパウダー１３ｅが有するリラックス効果や抗菌・殺菌作用によって使用者３８の緊張を緩和しつつ肌面の除菌や殺菌をすることができ、ビワパウダー１３ｆが有する老化防止効果や疲労回復効果によって使用者の老化を防ぎ、使用者の疲労を回復させることができるとともに、韃靼蕎麦パウダー１３ｇが有する血流促進作用によって使用者の血流を改善することができる。さらに、キトサン１３ｈが有する解毒・毒排出作用によって使用者３８から老廃物を排出させ、使用者３８の新陳代謝を促進することができ、ビタミンＣ１３ｉが有する免疫力向上効果によって使用者３８の免疫力を向上させることができる。
【００７２】
シート状健康増進具１０Ａが収容成分１３として抗菌作用を有する植物粉末と発汗作用を有する植物粉末との少なくとも一方を含む場合、抗菌・殺菌作用を有する植物粉末を含むことで、健康増進具１０Ａを貼付した肌面の除菌や殺菌をすることができ、発汗作用を有する植物粉末を含むことで、健康増進具１０Ａを貼付した肌面からの発汗が促進され、筋肉の緊張をほぐすことができ、使用者３８の肌面の水分を消散させることができるとともに、使用者３８の手足のむくみを解消することができる。
【００７３】
磁石粉末と複数個の粒状磁石とのうちの少なくとも一方が包装材１２ａの収容部３７（内部）に収容されている場合、異方性永久磁石１４から磁力線が発せられるとともに、磁石粉末や粒状磁石から磁力線が発せられ、異方性永久磁石１４の磁力線の作用および磁石粉末や粒状磁石の磁力線の作用によって使用者３８の筋肉組織の血行を改善し、筋肉組織の緊張を解いてこりをほぐすことができる。
【００７４】
シート状健康増進具１０Ａは、疎水性繊維不織布１７の粘着面１５に包装材１２ａの肌非当接面２７の不通気不透液性シート２９を貼付ししつつ、疎水性繊維不織布１７の粘着面１５（粘着シート１１の粘着面）を使用者３８の肌面に貼付することで、健康増進具１０Ａを手間を要せず簡単に使用者３８の所定の部位の肌面に貼付することができ、健康増進具１０Ａを何時でも手軽に利用することができる。
【００７５】
シート状健康増進具１０Ａは、包装材１２ａの不通気不透液性シート２９が包装材１２ａよりも面積が大きい疎水性繊維不織布１７の粘着面１５（粘着シート１１の粘着面）に貼付されるから、使用者３８の汗を吸収して液状に変わったデキストリン１３ａが疎水性繊維不織布１７（粘着シート１１）の外側に漏れ出すことはなく、液状のデキストリン１３ａ（それに溶け込んだ各収容成分１３ｂ〜１３ｇ）が疎水性繊維不織布１７（粘着シート１１）の外側に漏れ出すことによる汚れを防ぐことができる。
【００７６】
図９は、他の一例として示す包装材１２ｂの平面図であり、図１０は、図９のＣ−Ｃ線端面図である。図１１は、包装材１２ｂが粘着シート１１に貼付された状態のシート状健康増進具１０Ｂの平面図である。この包装材１２ｂが図１のそれと異なるところは、包装材１２ｂの肌当接面２８（通気透液性繊維不織布３３）に粒状の複数個の永久磁石４０が固着されている点にあり、その他の構成は図１の包装材１２ａのそれらと同一であるから、図１の包装材１２ａと同一の符号を付すとともに、図１の包装材１２ａの説明を援用することで、この包装材１２ｂの詳細な説明は省略する。
【００７７】
シート状健康増進具１０Ｂは、所定面積の粘着シート１１と、所定面積の包装材１２ｂ（包装袋）と、包装材１２ｂに収容された収容成分１３と、複数個の永久磁石４０（磁気発生材）とから形成されている。粘着シート１１は、粘着面１５および非粘着面１６を有する疎水性繊維不織布１７と、剥離面に剥離加工が施された剥離シート１８（剥離紙）とから形成されている。疎水性繊維不織布１７や剥離シート１８は、シート状健康増進具１０Ａのそれらと同一である（図４，５参照）。
【００７８】
包装材１２ｂは、肌非当接面２７および肌当接面２８を有し、肌非当接面２７が所定面積の不通気不透液性シート２９から作られ、肌当接面２８が所定面積の通気透液性繊維不織布３３から作られている。不通気不透液性シート２９や通気透液性繊維不織布３３は、包装材１２ａのそれらと同一である。包装材１２ｂでは、不通気不透液性シート２９の両側縁部３０（外周縁部）と通気透液性繊維不織布３３の両側縁部３４（外周縁部）とが所定の幅（たとえば、５〜８ｍｍ）で水密に固着され、不通気不透液性シート２９の両端縁部３１（外周縁部）と通気透液性繊維不織布３３の両端縁部３５（外周縁部）とが所定の幅（たとえば、５〜８ｍｍ）で水密に固着されている。包装材１２ｂは、４方向がすべて固着（シール）された四方シール包装材１２ｂである。
【００７９】
収容成分１３は、包装材１２ｂの収容部３７（内部）に収容され、デキストリン粉末１３ａ、遠赤外線放射粉末１３ｂ、木酢パウダー１３ｃ（木酢粉末）、竹酢パウダー１３ｄ（竹酢粉末）、どくだみパウダー１３ｅ（どくだみ粉末）、ビワパウダー１３ｆ（ビワ粉末）、韃靼蕎麦パウダー１３ｇ（韃靼蕎麦粉末）、キトサン１３ｈ、ビタミンＣ１３ｉから形成されている。包装材１２ｂに収容されたそれら収容成分１３ａ〜１３ｉは、図１の包装材１２ａに収容されたそれらと同一である（図３参照）。粉末成分１３の全重量を１００重量％としたときのデキストリン粉末１３ａの重量割合は図１の包装材１２ａのそれと同一である。なお、収容成分１３として、抗菌・殺菌作用を有する既述の植物粉末（植物パウダー）と発汗作用を有する既述の植物粉末（植物パウダー）とのうちの少なくとも一方が含まれていてもよい。
【００８０】
粒状の複数個の永久磁石４０（磁気発生材）は、包装材１２ｂの肌当接面２８（通気透液性繊維不織布３３）に固着され、縦方向（一方向）へ所定寸法離間して一列に並ぶとともに、横方向（一方向と交差する方向）へ所定寸法離間して一列に並んでいる。それら永久磁石４０は、その磁力線の磁束密度が４０〜８０ミリテスラの範囲にある。永久磁石４０は、その粒径が０．５〜２ｍｍの粒状磁石を使用することが好ましい。異方性永久磁石４０には、フェライト粒状磁石やアルコニ粒状磁石、サルコバ粒状磁石、ネオジム粒状磁石を使用することができる。なお、永久磁石４０には、異方性のそれを使用することが好ましいが、等方性を使用することもできる。また、包装材１２ｂの収容部３７（内部）には、既述の磁石粉末と既述の複数個の粒状磁石とのうちの少なくとも一方が収容されていてもよい。
【００８１】
シート状健康増進具１０Ｂを使用者３８の足裏３９に貼付する手順は、シート状健康増進具１０Ａのそれと同一であるから、図６〜図８の説明を援用することで、その説明は省略する。なお、シート状健康増進具１０Ｂは、使用者３８の足裏３９の他に、使用者３８の患部（つぼ）や他の部位（たとえば、手足の各部位）に貼付して使用することもできる。
【００８２】
シート状健康増進具１０Ｂを足裏３９に装着した後、使用者３８はそのままの状態で就寝する。シート状健康増進具１０Ｂの装着中では、遠赤外線放射粉末１３ｂが使用者３８の足裏３９の体温によって温められた後、蓄えた熱を遠赤外線放射粉末１３ｂが遠赤外線として足裏３９の肌面に向かって放射し、遠赤外線の温熱効果によって使用者３９の足裏３９が温められる。さらに、異方性永久磁石４０が使用者３８の足裏３９の肌面に向かって磁力線を発し、足裏３９の血行が促進され、足裏３９のこりが解れる。
【００８３】
シート状健康増進具１０Ｂの装着中では、通気透液性繊維不織布３３を透過して包装材１２ｂの収容部３７に滲入した汗がデキストリン粉末１３ａに吸収され、汗によってデキストリン粉末１３ａが液状に変わる。シート状健康増進具１０Ｂの装着中にデキストリン粉末１３ａが液状に変わると、デキストリン１３ａを除く他の収容成分１３ｂ〜１３ｉが液状のデキストリン１３ａに溶け込み、液状のデキストリン１３ａに溶け込んだ他の収容成分１３ｂ〜１３ｉが液状のデキストリン１３ａとともに肌当接面２８の通気透液性繊維不織布３３を透過して使用者３８の足裏３９の肌面に付着する。
【００８４】
シート状健康増進具１０Ｂは、シート状健康増進具１０Ａが有する効果を備えていることはもちろん、粒状の複数個の異方性永久磁石４０が包装材１２ｂの肌当接面２８（通気透液性繊維不織布３３）に縦横方向へ一列に並んでいるから、それら永久磁石４０から多くの磁力線が発せられ、各永久磁石４０から発せられた磁力線の作用によって使用者３８の筋肉組織の血行を確実に改善し、筋肉組織の緊張を解いてこりを確実にほぐすことができる。
【００８５】
図１２は、他の一例として示す包装材１２ｃの平面図であり、図１３は、図１２のＤ−Ｄ線端面図である。図１４は、包装材１２ｃが粘着シート１１に貼付された状態のシート状健康増進具１０Ｃの平面図である。この包装材１２ｃが図１のそれと異なるところは、包装材１２ｃの肌当接面２８（通気透液性繊維不織布３３）に遠赤外線放射材４２と異方性永久磁石４３とから形成された磁気発生材４１が固着されている点にあり、その他の構成は図１の包装材１２ａのそれらと同一であるから、図１の包装材１２ａと同一の符号を付すとともに、図１の包装材１２ａの説明を援用することで、この包装材１２ｃの詳細な説明は省略する。
【００８６】
シート状健康増進具１０Ｃは、所定面積の粘着シート１１と、所定面積の包装材１２ｃ（包装袋）と、包装材１２ｃに収容された収容成分１３と、磁気発生材４１とから形成されている。粘着シート１１は、粘着面１５および非粘着面１６を有する疎水性繊維不織布１７と、剥離面に剥離加工が施された剥離シート１８（剥離紙）とから形成されている。疎水性繊維不織布１７や剥離シート１８は、シート状健康増進具１０Ａのそれらと同一である（図４，５参照）。
【００８７】
包装材１２ｃは、肌非当接面２７および肌当接面２８を有し、肌非当接面２７が所定面積の不通気不透液性シート２９から作られ、肌当接面２８が所定面積の通気透液性繊維不織布３３から作られている。不通気不透液性シート２９や通気透液性繊維不織布３３は、包装材１２ａのそれらと同一である。包装材１２ｃでは、不通気不透液性シート２９の両側縁部３０（外周縁部）と通気透液性繊維不織布３３の両側縁部３４（外周縁部）とが所定の幅（たとえば、５〜８ｍｍ）で水密に固着され、不通気不透液性シート２９の両端縁部３１（外周縁部）と通気透液性繊維不織布３３の両端縁部３５（外周縁部）とが所定の幅（たとえば、５〜８ｍｍ）で水密に固着されている。包装材１２ｃは、４方向がすべて固着（シール）された四方シール包装材１２ｃである。
【００８８】
収容成分１３は、包装材１２ｂの収容部３７（内部）に収容され、デキストリン粉末１３ａ、遠赤外線放射粉末１３ｂ、木酢パウダー１３ｃ（木酢粉末）、竹酢パウダー１３ｄ（竹酢粉末）、どくだみパウダー１３ｅ（どくだみ粉末）、ビワパウダー１３ｆ（ビワ粉末）、韃靼蕎麦パウダー１３ｇ（韃靼蕎麦粉末）、キトサン１３ｈ、ビタミンＣ１３ｉから形成されている。包装材１２ｃに収容されたそれら収容成分１３ａ〜１３ｉは、図１の包装材１２ａに収容されたそれらと同一である（図３参照）。粉末成分１３の全重量を１００重量％としたときのデキストリン粉末１３ａの重量割合は図１の包装材１２ａのそれと同一である。なお、収容成分１３として、抗菌・殺菌作用を有する既述の植物粉末（植物パウダー）と発汗作用を有する既述の植物粉末（植物パウダー）とのうちの少なくとも一方が含まれていてもよい。
【００８９】
磁気発生材４１は、遠赤外線を放出する遠赤外線放射材４２と磁力線を発する永久磁石４３とから形成されている。遠赤外線放射材４２は、多孔質のセラミック成形物である。遠赤外線放射材４２は、加熱すると遠赤外線を放出する堆積鉱物（天然鉱石）を微粉砕した微細な鉱物粉体にバインダー（ポリビニルアルコール５％を含む水溶液）を加え、その鉱物粉体を造粒加工して成形した後、成形された鉱物粉体を焼結することで作られている。成形加工時に加えたバインダーは、焼結によって焼失する。なお、遠赤外線放射材４２（セラミック成形物）の製造方法の一例としては、特開２００５−２７９２２に開示されている。
【００９０】
遠赤外線放射材４２は、所定の厚みを有する略円盤状に成形され、平面形状が略円形かつ扁平なの固着面４４と、平面形状が略円形かつ扁平なの当接面４５と、それら面４４，４５の間に延びる周面４６とを有する。固着面４４は、包装材１２ｃの肌当接面２８（通気透液性繊維不織布３３）の中央に固着されている。遠赤外線放射材４２は、その最大厚み寸法が２．０〜４．０ｍｍの範囲、その直径が５．０〜６．５ｍｍの範囲にある。
【００９１】
遠赤外線放射材４２を形成する鉱物粉体は、二酸化ケイ素（シリカ：ＳｉＯ２）と酸化アルミニウム（アルミナ：ＡＩ２Ｏ３）と酸化第二鉄（Ｆｅ２Ｏ３）とを主成分とし、その他の成分として、酸化カルシウム（ＣａＯ）、酸化マグネシウム（ＭｇＯ）、酸化ナトリウム（Ｎａ２Ｏ）、酸化カリウム（Ｋ２Ｏ）を含有する。鉱物粉体の加熱処理の温度は、２００〜３００℃の範囲にある。鉱物粉体の平均粒径は、０．５〜２２０μｍの範囲にある。なお、遠赤外線放射材４２は、前記鉱物粉体の他に、セラミック粉体を使用することもできる。セラミック粉体は、二酸化ジルコニウム（ジルコミア）、二酸化ケイ素（シリカ）、酸化アルミニウム（アルミナ）、ケイ酸塩鉱物（コージェライト）、アルミノケイ酸塩鉱物（ムライト）、酸化マグネシウム（マグネシア）、二酸化チタン（チタニア）から選択された少なくとも１種類以上のセラミックを微粉砕して作ることができる。
【００９２】
遠赤外線放射材４２（鉱物粉体）の全重量を１００重量％としたときの二酸化ケイ素（ＳｉＯ２）の重量割合や酸化アルミニウム（ＡＩ２Ｏ３）の重量割合、酸化第二鉄（Ｆｅ２Ｏ３）の重量割合、酸化カルシウム（ＣａＯ）の重量割合、酸化マグネシウム（ＭｇＯ）の重量割合、酸化ナトリウム（Ｎａ２Ｏ）の重量割合、酸化カリウム（Ｋ２Ｏ）の重量割合は、遠赤外線放射粉末１３ｂのそれらと同一である。
【００９３】
遠赤外線放射材４２は、その赤外線放射率が８〜１４μｍの波長範囲において９８％以上である。遠赤外線放射材４２は、異なる振動波長域を有する既述の各種複数の金属酸化物や無機塩類、有機物を含有し、単一の成分のみから作られた場合と比較し、それらがそれぞれ波長の異なる赤外線を放射する。遠赤外線放射材が単一の成分のみから作られている場合、放射波長はその成分の固有振動による波長のみとなり、放射効率が低くなるが、遠赤外線放射材４２は、それぞれ波長の異なる赤外線を放射する各種複数の成分を含有するから、単一の成分のみから作られた場合と比較し、高い赤外線放射効率を有する。
【００９４】
物質から放射される遠赤外線の波長分布は、体温付近において、７〜１４μｍ、特に８〜１０μｍの遠赤外線が放射の主体となる。この波長域に同調する分子振動を有する代表的な物質として、二酸化ケイ素（シリカ）や酸化アルミニウム（アルミナ）、酸化鉄があり、それらを最適な範囲で含有する遠赤外線放射材４２は、人体の平均体温の波長と同一の波長域である８〜１４μｍの波長範囲において高い効率で赤外線を放射する。
【００９５】
物質の構造と遠赤外線の放射機能との関係は、結晶性が高いほど放射波長のピーク性が高まり、多孔質になるほどピーク幅が広がり、さらに、表面が平滑なほど放射の方位性が高まる。したがって、人体の平均体温の波長と同一の波長域である７〜１４μｍの波長範囲において高い放射率を有し、８〜１０μｍの波長範囲に最大放射ピークがあり、表面からあらゆる方向へ満遍なく遠赤外線を放射する材料として、二酸化ケイ素（シリカ）や酸化アルミニウム（アルミナ）、酸化鉄の適量を主成分として含有するとともに多孔質に成形（焼結）された遠赤外線放射材４２が最適である。
【００９６】
永久磁石４３は、略円柱状に成形され、固定部４７および扁平の露出部４８を有する。永久磁石４３には、異方性のそれを使用することが好ましいが、等方性を使用することもできる。永久磁石４３には、フェライト磁石やアルコニ磁石、サルコバ磁石、ネオジム磁石を使用することもできる。永久磁石４３の固定部４７は、遠赤外線放射材４２の当接面４５から固定面４４に向かって放射材４２の内部に埋め込まれ、放射材４２の中央部に固定されている。永久磁石４３の露出部４８は、遠赤外線放射材４２の当接面４５から外側に露出している。
【００９７】
永久磁石４３の露出部４８は、その端面が遠赤外線放射材４２の当接面４５に対して同一面上にあり、露出部４８の端面と放射材４２の当接面４５との間に段差がなく、露出部４８の端面と当接面４５とが面一になっている。異方性永久磁石４３では、その露出部４８がＮ極であり、露出部４８から発生する磁力線の磁束密度が４０〜８０ミリテスラの範囲にある。永久磁石４３は、その直径が２．０〜３．０ｍｍの範囲にあり、その厚み寸法が２．０〜３．５ｍｍの範囲にある。
【００９８】
シート状健康増進具１０Ｃを使用者３８の足裏３９に貼付する手順は、シート状健康増進具１０Ａのそれと同一であるから、図６〜図８の説明を援用することで、その説明は省略する。シート状健康増進具１０Ｃを使用者３８の足裏３９に貼付すると、遠赤外線放射材４２の当接面４５が足裏３９の肌面に当接するとともに、永久磁石４３の露出部４８の端面が足裏３９の肌面に当接する。シート状健康増進具１０Ｃでは、永久磁石４３の露出部４８から磁力線が足裏３８の肌面に発せられるとともに、遠赤外線放射材４２が使用者３８の体温によって温められた後、遠赤外線放射材４２に蓄えられた熱が遠赤外線として放射材４２から足裏３９の肌面に放射される。なお、シート状健康増進具１０Ｃは、使用者３８の足裏３９の他に、使用者３８の患部（つぼ）や他の部位（たとえば、手足の各部位）に貼付して使用することもできる。
【００９９】
シート状健康増進具１０Ｃを足裏３９に装着した後、使用者３８はそのままの状態で就寝する。シート状健康増進具１０Ｃの装着中では、遠赤外線放射粉末１３ｂや遠赤外線放射材４２が使用者３８の足裏３９の体温によって温められた後、蓄えた熱を遠赤外線放射粉末１３ｂや遠赤外線放射材４２が遠赤外線として足裏３９の肌面に向かって放射し、遠赤外線の温熱効果によって使用者３９の足裏３９が温められる。さらに、永久磁石４３が使用者３８の足裏３９の肌面に向かって磁力線を発し、足裏３９の血行が促進され、足裏３９のこりが解れる。
【０１００】
シート状健康増進具１０Ｃの装着中では、通気透液性繊維不織布３３を透過して包装材１２ｃの収容部３７に滲入した汗がデキストリン粉末１３ａに吸収され、汗によってデキストリン粉末１３ａが液状に変わる。シート状健康増進具１０Ｃの装着中にデキストリン粉末１３ａが液状に変わると、デキストリン１３ａを除く他の収容成分１３ｂ〜１３ｉが液状のデキストリン１３ａに溶け込み、液状のデキストリン１３ａに溶け込んだ他の収容成分１３ｂ〜１３ｉが液状のデキストリン１３ａとともに肌当接面２８の通気透液性繊維不織布３３を透過して使用者３８の足裏３９の肌面に付着する。
【０１０１】
シート状健康増進具１０Ｃは、シート状健康増進具１０Ａが有する効果を備えていることはもちろん、使用者３８の肌面に遠赤外線を放射する遠赤外線放射材４２と使用者３９の肌面に磁力線を発する永久磁石４３とを含むから、永久磁石４３の露出部４８から発せられた磁力線の作用によって使用者の筋肉組織の血行を確実に改善し、筋肉組織の緊張をといてこりを確実にほぐすことができるとともに、遠赤外線放射材４２が使用者３９の体温によって温められた後に蓄えた熱を遠赤外線として使用者３９の肌面に放射するから、遠赤外線が肌に対する温熱効果を発揮し、遠赤外線によって使用者３９の肌を確実に温めることができる。
【０１０２】
図１５は、他の一例として示すシート状健康増進具１０Ｄの部分破断平面図であり、図１６は、図１５のＥ−Ｅ線端面図である。図１５では、剥離シート１８（剥離紙）の一部を破断して示す。シート状健康増進具１０Ｄが図１のそれと異なるところは、包装材１２ａの肌非当接面２７（不通気不透液性シート２９）が疎水性繊維不織布１７（粘着シート）の粘着面１５の略中央に固着され、包装材１２ａの肌当接面２８（通気透液性繊維不織布３３）と疎水性繊維不織布１７の粘着面１５とが剥離シート１８に被覆保護されている点にあり、その他の構成は図１〜図５のシート状健康増進具１０Ａのそれらと同一であるから、図１〜図５のシート状健康増進具１０Ａと同一の符号を付すとともに、図１〜図５のシート状健康増進具１０Ａの説明を援用することで、このシート状健康増進具１０Ｄのその他の構成の説明は省略する。
【０１０３】
シート状健康増進具１０Ｄは、粘着面１５および非粘着面１６を有する疎水性繊維不織布１７（粘着シート）と、剥離面に剥離加工が施された剥離シート１８（剥離紙）と、所定面積の包装材１２ａと、包装材１２ａに収容された収容成分１３ａ〜１３ｉと、異方性永久磁石１４（磁気発生材）とから形成されている。疎水性繊維不織布１７や剥離シート１８、包装材１２ａ、収容成分１３ａ〜１３ｉ、異方性永久磁石１４は、シート状健康増進具１０Ａのそれらと同一である。
【０１０４】
包装材１２ａは、疎水性繊維不織布１７と剥離シート１８（剥離紙）との間に介在し、包装材１２ａの肌非当接面２７（不通気不透液性シート２９）が疎水性繊維不織布１７の粘着面１５の略中央に固着されている。シート状健康増進具１０Ｄでは、包装材１２ａを後から疎水性繊維不織布１７の粘着面１５に貼付するのではなく、あらかじめ疎水性繊維不織布１７と包装材１２ａとが一体になっている。シート状健康増進具１０Ｄでは、包装材１２ａの肌当接面２８（通気透液性繊維不織布３３）と異方性永久磁石１４と包装材１２ａの外周縁から径方向外方に延出する疎水性繊維不織布１７の粘着面１５とが剥離シート１８に被覆保護されている。
【０１０５】
シート状健康増進具１０Ｄを使用者３８の足裏３９に貼付する手順は、以下のとおりである。使用者３８または介助者（図示せず）がシート状健康増進具１０Ｄから剥離シート１８の大面積部２６を剥離して疎水性繊維不織布１７の粘着面１５（粘着剤２１）と包装材１２ａとを露出させ、包装材１２ａの外周縁（両側縁部および両端縁部）から径方向外方に延出する疎水性繊維不織布１７の粘着面１５（粘着剤２１）を使用者３８の足裏３９の肌面に貼付する。疎水性繊維不織布１７の粘着面１５を使用者３８の足裏３９に貼付すると、包装材１２ａの肌当接面２８（通気透液性繊維不織布３３）が使用者３８の足裏３９の肌面に密着する。疎水性繊維不織布１７の粘着面１５を使用者３８の足裏３９の肌面に貼付した後、剥離シート１８の小面積部２５を疎水性繊維不織布１７から剥離して粘着面１５（粘着剤２１）を露出させ、露出させた粘着面１５を使用者３８の足裏３９の肌面に貼付する。なお、シート状健康増進具１０Ｄは、足裏３９の他に、使用者３８の患部（つぼ）や他の部位（たとえば、手足の各部位）に貼付して使用することもできる。
【０１０６】
シート状健康増進具１０Ｄは、シート状健康増進具１０Ａが有する効果に加え、以下の効果を有する。シート状健康増進具１０Ｄは、包装材１２ａが所定面積の疎水性繊維不織布１７（粘着シート）の粘着面１５に固着されて疎水性繊維不織布１７と包装材１２ａとが一体になっているから、健康増進具１０Ｄの使用時に、疎水性繊維不織布１７の粘着面１５と包装材１２ａの肌当接面２８とから剥離シート１８を剥離し、疎水性繊維不織布１７の粘着面１５を使用者３８の肌面に貼付することで、健康増進具１０Ｄを手間を要せず簡単に使用者３８の所定の部位の肌面に貼付することができ、健康増進具１０Ｄを何時でも手軽に利用することができる。また、包装材１２ａがそれよりも面積が大きい疎水性繊維不織布１７（粘着シート）の粘着面１５に貼付されて疎水性繊維不織布１７と包装材１２ａとが一体になっているから、使用者３８の汗を吸収して液状に変わったデキストリン１３ａが疎水性繊維不織布１７の外側に漏れ出すことはなく、液状のデキストリン１３ａが疎水性繊維不織布１７の外側に漏れ出すことによる汚れを防ぐことができる。
【０１０７】
図１７は、他の一例として示すシート状健康増進具１０Ｅの部分破断平面図であり、図１８は、図１７のＦ−Ｆ線端面図である。図１７では、剥離シート１８（剥離紙）の一部を破断して示す。シート状健康増進具１０Ｅが図９のそれと異なるところは、包装材１２ｂの肌非当接面２７（不通気不透液性シート２９）が疎水性繊維不織布１７（粘着シート）の粘着面１５の略中央に固着され、包装材１２ｂの肌当接面２８（通気透液性繊維不織布３３）と疎水性繊維不織布１７の粘着面１５とが剥離シート１８に被覆保護されている点にあり、その他の構成は図９〜図１１のシート状健康増進具１０Ｂのそれらと同一であるから、図９〜図１１のシート状健康増進具１０Ｂと同一の符号を付すとともに、図９〜図１１のシート状健康増進具１０Ｂの説明を援用することで、このシート状健康増進具１０Ｅのその他の構成の説明は省略する。
【０１０８】
シート状健康増進具１０Ｅは、粘着面１５および非粘着面１６を有する疎水性繊維不織布１７（粘着シート）と、剥離面に剥離加工が施された剥離シート１８（剥離紙）と、所定面積の包装材１２ｂと、包装材１２ｂに収容された収容成分１３ａ〜１３ｉと、複数個の異方性永久磁石４０（磁気発生材）とから形成されている。疎水性繊維不織布１７や剥離シート１８、包装材１２ｂ、収容成分１３ａ〜１３ｉ、異方性永久磁石４０は、シート状健康増進具１０Ｂのそれらと同一である。
【０１０９】
包装材１２ｂは、疎水性繊維不織布１７と剥離シート１８（剥離紙）との間に介在し、包装材１２ｂの肌非当接面２７（不通気不透液性シート２９）が疎水性繊維不織布１７の粘着面１５の略中央に固着されている。シート状健康増進具１０Ｅでは、包装材１２ｂを後から疎水性繊維不織布１７の粘着面１５に貼付するのではなく、あらかじめ疎水性繊維不織布１７と包装材１２ｂとが一体になっている。シート状健康増進具１０Ｅでは、包装材１２ｂの肌当接面２８（通気透液性繊維不織布３３）とそれら異方性永久磁石４０と包装材１２ｂの外周縁から径方向外方に延出する疎水性繊維不織布１７の粘着面１５とが剥離シート１８に被覆保護されている。シート状健康増進具１０Ｅを使用者３８の足裏３９に貼付する手順は、シート状健康増進具１０Ｄのそれと同一であるから、その説明は省略する。なお、シート状健康増進具１０Ｅは、足裏３９の他に、使用者３８の患部（つぼ）や他の部位（たとえば、手足の各部位）に貼付して使用することもできる。
【０１１０】
シート状健康増進具１０Ｅは、シート状健康増進具１０Ａやシート状健康増進具１０Ｂが有する効果に加え、以下の効果を有する。シート状健康増進具１０Ｅは、包装材１２ｂが所定面積の疎水性繊維不織布１７（粘着シート）の粘着面１５に固着されて疎水性繊維不織布１７と包装材１２ｂとが一体になっているから、健康増進具１０Ｅの使用時に、疎水性繊維不織布１７の粘着面１５と包装材１２ｂの肌当接面２８とから剥離シート１８を剥離し、疎水性繊維不織布１７の粘着面１５を使用者３８の肌面に貼付することで、健康増進具１０Ｅを手間を要せず簡単に使用者３８の所定の部位の肌面に貼付することができ、健康増進具１０Ｅを何時でも手軽に利用することができる。また、包装材１２ｂがそれよりも面積が大きい疎水性繊維不織布１７（粘着シート）の粘着面１５に貼付されて疎水性繊維不織布１７と包装材１２ｂとが一体になっているから、使用者３８の汗を吸収して液状に変わったデキストリン１３ａが疎水性繊維不織布１７の外側に漏れ出すことはなく、液状のデキストリン１３ａが疎水性繊維不織布１７の外側に漏れ出すことによる汚れを防ぐことができる。
【０１１１】
図１９は、他の一例として示すシート状健康増進具１０Ｆの部分破断平面図であり、図２０は、図１９のＧ−Ｇ線端面図である。図１９では、剥離シート１８（剥離紙）の一部を破断して示す。シート状健康増進具１０Ｆが図１２のそれと異なるところは、包装材１２ｃの肌非当接面２７（不通気不透液性シート２９）が疎水性繊維不織布１７（粘着シート）の粘着面１５の略中央に固着され、包装材１２ｃの肌当接面２８（通気透液性繊維不織布３３）と疎水性繊維不織布１７の粘着面１５とが剥離シート１８に被覆保護されている点にあり、その他の構成は図１２〜図１４のシート状健康増進具１０Ｃのそれらと同一であるから、図１２〜図１４のシート状健康増進具１０Ｃと同一の符号を付すとともに、図１２〜図１４のシート状健康増進具１０Ｃの説明を援用することで、このシート状健康増進具１０Ｆのその他の構成の説明は省略する。
【０１１２】
シート状健康増進具１０Ｆは、粘着面１５および非粘着面１６を有する疎水性繊維不織布１７（粘着シート）と、剥離面に剥離加工が施された剥離シート１８（剥離紙）と、所定面積の包装材１２ｃと、包装材１２ｃに収容された収容成分１３ａ〜１３ｉと、磁気発生材４１とから形成されている。疎水性繊維不織布１７や剥離シート１８、包装材１２ｃ、収容成分１３ａ〜１３ｉ、磁気発生材４１は、シート状健康増進具１０Ｃのそれらと同一である。
【０１１３】
包装材１２ｃは、疎水性繊維不織布１７と剥離シート１８（剥離紙）との間に介在し、包装材１２ｃの肌非当接面２７（不通気不透液性シート２９）が疎水性繊維不織布１７の粘着面１５の略中央に固着されている。シート状健康増進具１０Ｆでは、包装材１２ｃを後から疎水性繊維不織布１７の粘着面１５に貼付するのではなく、あらかじめ疎水性繊維不織布１７と包装材１２ｃとが一体になっている。シート状健康増進具１０Ｆでは、包装材１２ｃの肌当接面２８（通気透液性繊維不織布３３）と磁気発生材４１と包装材１２ｃの外周縁から径方向外方に延出する疎水性繊維不織布１７の粘着面１５とが剥離シート１８に被覆保護されている。シート状健康増進具１０Ｆを使用者３８の足裏３９に貼付する手順は、シート状健康増進具１０Ｄのそれと同一であるから、その説明は省略する。なお、シート状健康増進具１０Ｆは、足裏３９の他に、使用者３８の患部（つぼ）や他の部位（たとえば、手足の各部位）に貼付して使用することもできる。
【０１１４】
シート状健康増進具１０Ｆは、シート状健康増進具１０Ａやシート状健康増進具１０Ｃが有する効果に加え、以下の効果を有する。シート状健康増進具１０Ｆは、包装材１２ｃが所定面積の疎水性繊維不織布１７（粘着シート）の粘着面１５に固着されて疎水性繊維不織布１７と包装材１２ｃとが一体になっているから、健康増進具１０Ｆの使用時に、疎水性繊維不織布１７の粘着面１５と包装材１２ｃの肌当接面２８とから剥離シート１８を剥離し、疎水性繊維不織布１７の粘着面１５を使用者３８の肌面に貼付することで、健康増進具１０Ｆを手間を要せず簡単に使用者３８の所定の部位の肌面に貼付することができ、健康増進具１０Ｆを何時でも手軽に利用することができる。また、包装材１２ｃがそれよりも面積が大きい疎水性繊維不織布１７（粘着シート）の粘着面１５に貼付されて疎水性繊維不織布１７と包装材１２ｃとが一体になっているから、使用者３８の汗を吸収して液状に変わったデキストリン１３ａが疎水性繊維不織布１７の外側に漏れ出すことはなく、液状のデキストリン１３ａが疎水性繊維不織布１７の外側に漏れ出すことによる汚れを防ぐことができる。
【０１１５】
図２１は、他の一例として示す包装材１２ｄの平面図であり、図２２は、図２１のＨ−Ｈ線端面図である。図２３は、包装材１２ｄの収容部３７に収容される収容成分１３ａ〜１３ｋを模式的に表した図であり、図２４は、包装材１２ｄが粘着シート１１に貼付された状態のシート状健康増進具１０Ｇの平面図である。この包装材１２ｄが図１のそれと異なるところは、包装材１２ｄの収容部３７に複数個の粒状磁石１３ｊと磁石粉末１３ｋとのうちの少なくとも一方が収容されている点にあり、その他の構成は図１の包装材１２ａのそれらと同一であるから、図１の包装材１２ａと同一の符号を付すとともに、図１の包装材１２ａの説明を援用することで、この包装材１２ｂの詳細な説明は省略する。
【０１１６】
シート状健康増進具１０Ｇは、所定面積の粘着シート１１と、所定面積の包装材１２ｄ（包装袋）と、包装材１２ｄの収容部３７に収容された収容成分１３とから形成されている。粘着シート１１は、粘着面１５および非粘着面１６を有する疎水性繊維不織布１７と、剥離面に剥離加工が施された剥離シート１８（剥離紙）とから形成されている。疎水性繊維不織布１７や剥離シート１８は、シート状健康増進具１０Ａのそれらと同一である（図４，５参照）。
【０１１７】
包装材１２ｄは、肌非当接面２７および肌当接面２８を有し、肌非当接面２７が所定面積の不通気不透液性シート２９から作られ、肌当接面２８が所定面積の通気透液性繊維不織布３３から作られている。不通気不透液性シート２９や通気透液性繊維不織布３３は、包装材１２ａのそれらと同一である。包装材１２ｄでは、不通気不透液性シート２９の両側縁部３０（外周縁部）と通気透液性繊維不織布３３の両側縁部３４（外周縁部）とが所定の幅（たとえば、５〜８ｍｍ）で水密に固着され、不通気不透液性シート２９の両端縁部３１（外周縁部）と通気透液性繊維不織布３３の両端縁部３５（外周縁部）とが所定の幅（たとえば、５〜８ｍｍ）で水密に固着されている。包装材１２ｄは、４方向がすべて固着（シール）された四方シール包装材１２ｄである。
【０１１８】
収容成分１３は、デキストリン粉末１３ａ、遠赤外線放射粉末１３ｂ、木酢パウダー１３ｃ（木酢粉末）、竹酢パウダー１３ｄ（竹酢粉末）、どくだみパウダー１３ｅ（どくだみ粉末）、ビワパウダー１３ｆ（ビワ粉末）、韃靼蕎麦パウダー１３ｇ（韃靼蕎麦粉末）、キトサン１３ｈ、ビタミンＣ１３ｉ、複数個の粒状磁石１３ｊと磁石粉末１３ｋとのうちの少なくとも一方から形成されている。包装材１２ｄに収容されたそれら収容成分１３ａ〜１３ｉは、図１の包装材１２ａに収容されたそれらと同一である。粉末成分１３の全重量を１００重量％としたときのデキストリン粉末１３ａの重量割合は図１の包装材１２ａのそれと同一である。なお、収容成分１３として、抗菌・殺菌作用を有する既述の植物粉末（植物パウダー）と発汗作用を有する既述の植物粉末（植物パウダー）とのうちの少なくとも一方が含まれていてもよい。なお、収容成分１３には、木酢パウダー１３ｃ、竹酢パウダー１３ｄ、どくだみパウダー１３ｅ、ビワパウダー１３ｆ、韃靼蕎麦パウダー１３ｇのうちの少なくとも１つが含まれていればよい。、
【０１１９】
粒状磁石１３ｊには、方性のそれを使用することが好ましいが、等方性を使用することもできる。粒状磁石１３ｊには、その粒径が０．５〜２ｍｍのフェライト粒状磁石やアルコニ粒状磁石、サルコバ粒状磁石、ネオジム粒状磁石を使用することができる。磁石粉末１３ｋには、フェライト磁石粉末やネオジム磁石粉末、サマコバ磁石粉末を使用することができる。粒状磁石１３ｉや磁石粉末１３ｋは、磁力線の磁束密度が４０〜８０ミリテスラの範囲にある。
【０１２０】
シート状健康増進具１０Ｇを使用者３８の足裏３９に貼付する手順は、シート状健康増進具１０Ａのそれと同一であるから、図６〜図８の説明を援用することで、その説明は省略する。なお、シート状健康増進具１０Ｇは、使用者３８の足裏３９の他に、使用者３８の患部（つぼ）や他の部位（たとえば、手足の各部位）に貼付して使用することもできる。
【０１２１】
シート状健康増進具１０Ｇを足裏３９に装着した後、使用者３８はそのままの状態で就寝する。シート状健康増進具１０Ｇの装着中では、遠赤外線放射粉末１３ｂが使用者３８の足裏３９の体温によって温められた後、蓄えた熱を遠赤外線放射粉末１３ｂが遠赤外線として足裏３９の肌面に向かって放射し、遠赤外線の温熱効果によって使用者３９の足裏３９が温められる。さらに、包装材１２ｄの収容部３７に収容された粒状磁石１３ｊと磁石粉末１３ｋとのうちの少なくとも一方が使用者３８の足裏３９の肌面に向かって磁力線を発し、足裏３９の血行が促進され、足裏３９のこりが解れる。
【０１２２】
シート状健康増進具１０Ｇの装着中では、通気透液性繊維不織布３３を透過して包装材１２ｄの収容部３７に滲入した汗がデキストリン粉末１３ａに吸収され、汗によってデキストリン粉末１３ａが液状に変わる。シート状健康増進具１０Ｇの装着中にデキストリン粉末１３ａが液状に変わると、デキストリン１３ａを除く他の収容成分１３ｂ〜１３ｉが液状のデキストリン１３ａに溶け込み、液状のデキストリン１３ａに溶け込んだ他の収容成分１３ｂ〜１３ｉが液状のデキストリン１３ａとともに肌当接面２８の通気透液性繊維不織布３３を透過して使用者３８の足裏３９の肌面に付着する。
【０１２３】
シート状健康増進具１０Ｇは、包装材１２ｄの収容部３７（内部）に収容されて使用者３８の肌面に磁力線を発する複数個の粒状磁石１３ｊと磁石粉末１３ｋとのうちの少なくとも一方と使用者３８の体温によって温められて使用者３８の肌面に遠赤外線を放射する遠赤外線放射粉末１３ｂとを含み、それを患部（つぼ）や所定の部位に貼付することにより、粒状磁石１３ｊと磁石粉末１３ｋから発せられた磁力線の作用によって使用者３８の筋肉組織の血行を改善し、筋肉組織の緊張を解いてこりをほぐす他、遠赤外線放射粉末１３ｂが使用者３８の体温によって温められた後に蓄えた熱を遠赤外線として使用者３８の肌面に放射するから、遠赤外線が肌に対する温熱効果を発揮し、遠赤外線によって使用者３８の肌を温めることができる。
【０１２４】
シート状健康増進具１０Ｇは、遠赤外線放射粉末から放射された遠赤外線の温熱効果と粒状磁石１３ｊや磁石粉末１３ｋのうちの少なくとも一方から発せられた磁力線との相互作用によって血行が良くなり、筋肉の疲れを取ることができるとともに、神経痛や筋肉痛を緩和することができる。シート状健康増進具１０Ｇは、デキストリン粉末１３ａが使用者３８の肌面から発散されて通気透液性繊維不織布３３を透過した汗を吸収して液状に変わり、汗に含まれる老廃物が液状のデキストリン１３ａに吸収されるから、デキストリン粉末１３ａの水分老廃物吸収作用によって使用者３８の手足のむくみを解消することができるとともに、使用者３８の新陳代謝を促進することができる。
【０１２５】
シート状健康増進具１０Ｇは、液状のデキストリン１３ａに溶け込んだ他の収容成分１３ｂ〜１３ｉが液体のデキストリン１３ａとともに通気透液性繊維不織布３３を透過して使用者３８の肌面に付着することで、それら収容成分１３ｂ〜１３ｉが有する疲労回復効果や消臭効果、リラックス効果、老化防止効果、解毒・毒排出効果、血流促進作用、免疫効果、抗菌作用、発汗作用の各効能を使用者３８に確実に作用させることができ、使用者３８に対してそれら効能による効果を確実に発揮させることができる。
【０１２６】
シート状健康増進具１０Ｇは、収容成分１３として木酢パウダー１３ｃや竹酢パウダー１３ｄ、どくだみパウダー１３ｅ、ビワパウダー１３ｆ、韃靼蕎麦パウダー１３ｇ、キトサン１３ｈ、ビタミンＣ１３ｉを含むから、木酢パウダー１３ｃおよび竹酢パウダー１３ｄが有する疲労回復効果や消臭効果によって使用者３８の筋肉も疲れを取ることができるとともに、使用者３８の肌から発散される臭いを除去することができる。シート状健康増進具１０Ｇは、どくだみパウダー１３ｅが有するリラックス効果や抗菌・殺菌作用によって使用者３８の緊張を緩和しつつ肌面の除菌や殺菌をすることができ、ビワパウダー１３ｆが有する老化防止効果や疲労回復効果によって使用者の老化を防ぎ、使用者の疲労を回復させることができるとともに、韃靼蕎麦パウダー１３ｇが有する血流促進作用によって使用者の血流を改善することができる。さらに、キトサン１３ｈが有する解毒・毒排出作用によって使用者３８から老廃物を排出させ、使用者３８の新陳代謝を促進することができ、ビタミンＣ１３ｉが有する免疫力向上効果によって使用者３８の免疫力を向上させることができる。
【０１２７】
シート状健康増進具１０Ｇは、疎水性繊維不織布１７の粘着面１５に包装材１２ｄの肌非当接面２７の不通気不透液性シート２９を貼付ししつつ、疎水性繊維不織布１７の粘着面１５（粘着シート１１の粘着面）を使用者３８の肌面に貼付することで、健康増進具１０Ｇを手間を要せず簡単に使用者３８の所定の部位の肌面に貼付することができ、健康増進具１０Ｇを何時でも手軽に利用することができる。シート状健康増進具１０Ｇは、包装材１２ｄの不通気不透液性シート２９が包装材１２ｄよりも面積が大きい疎水性繊維不織布１７の粘着面１５（粘着シート１１の粘着面）に貼付されるから、使用者３８の汗を吸収して液状に変わったデキストリン１３ａが疎水性繊維不織布１７（粘着シート１１）の外側に漏れ出すことはなく、液状のデキストリン１３ａ（それに溶け込んだ各収容成分１３ｂ〜１３ｇ）が疎水性繊維不織布１７（粘着シート１１）の外側に漏れ出すことによる汚れを防ぐことができる。
【０１２８】
図２５は、他の一例として示すシート状健康増進具１０Ｈの部分破断平面図であり、図２６は、図２５のＩ−Ｉ線端面図である。図２５では、剥離シート１８（剥離紙）の一部を破断して示す。シート状健康増進具１０Ｈが図２１のそれと異なるところは、包装材１２ｄの肌非当接面２７（不通気不透液性シート２９）が疎水性繊維不織布１７（粘着シート）の粘着面１５の略中央に固着され、包装材１２ｄの肌当接面２８（通気透液性繊維不織布３３）と疎水性繊維不織布１７の粘着面１５とが剥離シート１８に被覆保護されている点にあり、その他の構成は図２１〜図２４のシート状健康増進具１０Ｇのそれらと同一であるから、図２１〜図２４のシート状健康増進具１０Ｇと同一の符号を付すとともに、図２１〜図２４のシート状健康増進具１０Ｇの説明を援用することで、このシート状健康増進具１０Ｈのその他の構成の説明は省略する。
【０１２９】
シート状健康増進具１０Ｈは、粘着面１５および非粘着面１６を有する疎水性繊維不織布１７（粘着シート）と、剥離面に剥離加工が施された剥離シート１８（剥離紙）と、所定面積の包装材１２ｄと、包装材１２ｄに収容された収容成分１３ａ〜１３ｋとから形成されている。疎水性繊維不織布１７や剥離シート１８、包装材１２ｄ、収容成分１３ａ〜１３ｋは、シート状健康増進具１０Ｇのそれらと同一である。
【０１３０】
包装材１２ｄは、疎水性繊維不織布１７と剥離シート１８（剥離紙）との間に介在し、包装材１２ｄの肌非当接面２７（不通気不透液性シート２９）が疎水性繊維不織布１７の粘着面１５の略中央に固着されている。シート状健康増進具１０Ｈでは、包装材１２ｄを後から疎水性繊維不織布１７の粘着面１５に貼付するのではなく、あらかじめ疎水性繊維不織布１７と包装材１２ｄとが一体になっている。シート状健康増進具１０Ｈでは、包装材１２ｄの肌当接面２８（通気透液性繊維不織布３３）と包装材１２ｄの外周縁から径方向外方に延出する疎水性繊維不織布１７の粘着面１５とが剥離シート１８に被覆保護されている。シート状健康増進具１０Ｈを使用者３８の足裏３９に貼付する手順は、図１５のシート状健康増進具１０Ｄのそれと同一であるから、その説明は省略する。なお、シート状健康増進具１０Ｈは、足裏３９の他に、使用者３８の患部（つぼ）や他の部位（たとえば、手足の各部位）に貼付して使用することもできる。
【０１３１】
シート状健康増進具１０Ｈは、シート状健康増進具１０Ｇが有する効果に加え、以下の効果を有する。シート状健康増進具１０Ｈは、包装材１２ｄが所定面積の疎水性繊維不織布１７（粘着シート）の粘着面１５に固着されて疎水性繊維不織布１７と包装材１２ｄとが一体になっているから、健康増進具１０Ｈの使用時に、疎水性繊維不織布１７の粘着面１５と包装材１２ｄの肌当接面２８とから剥離シート１８を剥離し、疎水性繊維不織布１７の粘着面１５を使用者３８の肌面に貼付することで、健康増進具１０Ｈを手間を要せず簡単に使用者３８の所定の部位の肌面に貼付することができ、健康増進具１０Ｈを何時でも手軽に利用することができる。また、包装材１２ｄがそれよりも面積が大きい疎水性繊維不織布１７（粘着シート）の粘着面１５に貼付されて疎水性繊維不織布１７と包装材１２ｄとが一体になっているから、使用者３８の汗を吸収して液状に変わったデキストリン１３ａが疎水性繊維不織布１７の外側に漏れ出すことはなく、液状のデキストリン１３ａが疎水性繊維不織布１７の外側に漏れ出すことによる汚れを防ぐことができる。
【符号の説明】
【０１３２】
１０Ａ  シート状健康増進具
１０Ｂ  シート状健康増進具
１０Ｃ  シート状健康増進具
１０Ｄ  シート状健康増進具
１０Ｅ  シート状健康増進具
１０Ｆ  シート状健康増進具
１０Ｇ  シート状健康増進具
１０Ｈ  シート状健康増進具
１１    粘着シート
１２ａ〜１２ｅ  包装材
１３    収容成分
１３ａ  デキストリン粉末
１３ｂ  遠赤外線放射粉末
１３ｃ  木酢パウダーｃ（木酢粉末）
１３ｄ  竹酢パウダー（竹酢粉末）
１３ｅ  どくだみパウダー（どくだみ粉末）
１３ｆ  ビワパウダー（ビワ粉末）
１３ｇ  韃靼蕎麦パウダー（韃靼蕎麦粉末）
１３ｈ  キトサン
１３ｉ  ビタミンＣ
１３ｊ  粒状磁石
１３ｋ  磁石粉末
１４    異方性永久磁石
１５    粘着面
１６    非粘着面
１７    疎水性繊維不織布
１８    剥離シート（剥離紙）
１９    両側縁部
２０    両端縁部
２１    粘着剤
２２    両側縁
２３    両端縁
２４    切り込み線
２５    小面積部
２６    大面積部
２７    肌非当接面
２８    肌当接面
２９    不通気不透液性シート
３０    両側縁部
３１    両端縁部
３２    中央部
３３    通気透液性繊維不織布
３４    両側縁部
３５    両端縁部
３６    中央部
３７    収容部
３８    使用者
３９    足裏
４０    永久磁石
４１    磁気発生材
４２    遠赤外線放射材
４３    永久磁石
４４    固着面
４５    当接面
４６    周面
４７    固定部
４８    露出部
【図１】
2016119944.tif 000003
【図２】
2016119944.tif 000004
【図３】
2016119944.tif 000005
【図４】
2016119944.tif 000006
【図５】
2016119944.tif 000007
【図６】
2016119944.tif 000008
【図７】
2016119944.tif 000009
【図８】
2016119944.tif 000010
【図９】
2016119944.tif 000011
【図１０】
2016119944.tif 000012
【図１１】
2016119944.tif 000013
【図１２】
2016119944.tif 000014
【図１３】
2016119944.tif 000015
【図１４】
2016119944.tif 000016
【図１５】
2016119944.tif 000017
【図１６】
2016119944.tif 000018
【図１７】
2016119944.tif 000019
【図１８】
2016119944.tif 000020
【図１９】
2016119944.tif 000021
【図２０】
2016119944.tif 000022
【図２１】
2016119944.tif 000023
【図２２】
2016119944.tif 000024
【図２３】
2016119944.tif 000025
【図２４】
2016119944.tif 000026
【図２５】
2016119944.tif 000027
【図２６】
2016119944.tif 000028